(57)【要約】【課題】本発明はネットワーク基盤の音楽演奏／歌の伴奏サービスシステム及びその方法に関したことで、特にデジタル音楽ファイル（例えば、ミディ（ＭＩＤＩ）等）を楽器別に演奏指示及び演奏音再生が可能に変換させた仮想オーケストラシステム（ＶＯＳ）ファイルを利用する。【解決手段】サーバーは近距離通信網（ＬＡＮ）、イントラネット、付加価値通信網（ＶＡＮ）、インターネット、または公衆電話網（ＰＳＴＮ）などのような情報通信網を通じて前記ＶＯＳファイルを提供し、または仮想オーケストラシステム（ＶＯＳ）ファイル変換プログラムを前記ネットワークを通じてそれぞれの会員クライアント端末側に提供して、少なくとも一つのクライアント端末側で使用者があらかじめ指定した楽曲及びそれぞれの楽器別に演奏指示データが提供されているようにしてそれに沿い実際演奏になった楽器音を再生させることによって独奏または合奏が演出になるようにする（この 場合、未指定になった残りの楽器等の演奏音は黙音処理され、または背景音として提供されることもできること）。また前記演奏指示データの提供時、演奏指示データと同期させた歌詞データを提供して共にディスプレイされるようにすることによって前記少なくとも一つのクライアント端末側の使用者が独唱／独奏し、または合唱／合奏できるようにする。
2004538496.tif 000002
【特許請求の範囲】
【請求項１】
音楽演奏サービスシステムにおいて、
音楽演奏ファイル、音楽演奏サービスプログラム、多数の使用者が該当音楽を演奏できる機能を提供する音楽演奏サービス提供手段；及び
前記音楽演奏サービス提供手段と情報通信網を通じて連結して、前記音楽演奏ファイル、前記音楽演奏サービスプログラムをダウンロード受けて、該当音楽を演奏する少なくとも一つの音楽演奏遂行手段と
を含むネットワーク基盤の音楽演奏サービスシステム。
【請求項２】
請求項１において、
前記音楽演奏サービス提供手段は、
前記音楽演奏ファイル、前記音楽演奏サービスプログラム、多数の使用者が該当音楽を合奏できる機能を提供することを特徴とするネットワーク基盤の音楽演
奏サービスシステム。
【請求項３】
請求項２において、
前記少なくとも一つの音楽演奏遂行手段は、
前記音楽演奏サービス提供手段と情報通信網を通じて連結して、前記音楽演奏ファイル、前記音楽演奏サービスプログラムをダウンロード受けて、該当音楽を独奏し、または合奏できる機能を提供することを特徴とするネットワーク基盤の音楽演奏サービスシステム。
【請求項４】
請求項１において、
前記音楽演奏サービス提供手段は、
前記情報通信網を通じて少なくとも二つの地域サーバーと連動になって、各々に前記音楽演奏ファイル、前記音楽演奏サービスプログラムを提供して、１地域サーバーで前記情報通信網を通じて前記少なくとも一つの音楽演奏遂行手段に個人独奏や多数の使用者が合奏できる機能を提供して他地域サーバーと前記情報通
信網を通じて連動して合奏できる機能を提供することを特徴とするネットワーク基盤の音楽演奏サービスシステム。
【請求項５】
請求項１〜請求項４のいずれか一項において、
前記音楽演奏ファイルは、
該当音楽に対する使用者の演奏順序と楽器別に音標が分割されて楽器別にタイミングによって演奏する音を表す仮想オーケストラシステム（ＶＯＳ）音楽ファイルなものを特徴とするネットワーク基盤の音楽演奏サービスシステム。
【請求項６】
請求項５において、
前記音楽演奏サービス提供手段は、
前記音楽演奏サービスプログラムを保存して、サービス制御手段の要請によって該当音楽演奏サービスプログラムを前記サービス制御手段に提供するプログラム貯蔵手段；
前記音楽演奏ファイルをジャンル別に分類して保存して、前記少なくとも一つの音楽演奏遂行手段により要請になった該当音楽演奏ファイルを前記サービス制御手段に提供する音楽ファイル貯蔵手段；
前記情報通信網を通じて前記少なくとも一つの音楽演奏遂行手段と連結して、前記音楽演奏ファイル、前記音楽演奏サービスプログラムを前記少なくとも一つの音楽演奏遂行手段に送信して、合奏の遂行時前記少なくとも一つの音楽演奏遂行手段から発生する個人演奏（独奏）データを受信して総合演奏（合奏）データを前記少なくとも一つの音楽演奏遂行手段に送信する第１ネットワーク連結手段；
音楽演奏サービスを制御して、前記少なくとも一つの音楽演奏遂行手段で要求する該当音楽演奏ファイル、該当音楽演奏サービスプログラムを前記第１ネットワーク連結手段に伝達して、前記個人演奏データを多重合奏手段に伝達して、前記総合演奏データを前記第１ネットワーク連結手段に伝達する前記サービス制御手段；前記情報通信網を通じて前記少なくとも一つの音楽演奏遂行手段が所望の該当音楽及び該当音楽を演奏する楽器を選択して合奏を遂行することができる環境を提供して、前記個人演奏データを総合して前記総合演奏データを発生する前記多重合奏手段；及び
前記少なくとも一つの音楽演奏遂行手段の情報と前記ファイル貯蔵手段に保存された音楽演奏ファイル情報、該当音楽に対する楽器別達成度及び合奏達成度の図情報を保存する貯蔵手段を含むネットワーク基盤の音楽演奏サービスシステム。
【請求項７】
請求項６において、
前記少なくとも一つの音楽演奏遂行手段は、
前記情報通信網を通じて前記音楽演奏サービス提供手段と連結して、前記音楽演奏サービス提供手段から前記音楽演奏ファイル、前記音楽演奏サービスプログラムを受信して、合奏の遂行時前記個人演奏（独奏）データを前記音楽演奏サービス提供手段に送信して前記音楽演奏サービス提供手段から前記総合演奏（合奏）データを受信する第２ネットワーク連結手段；
前記第２ネットワーク連結手段を通じて受信された前記音楽演奏ファイルを供給するための音楽ファイル供給手段；
前記音楽演奏ファイル中で該当音楽を演奏する楽器に対する各音標を演奏順序を表した電子楽譜で表示するための画面表示手段；
前記画面表示手段に表示された電子楽譜の各音標に対する演奏順序にともなう使用者からの演奏操作を入力受けるための少なくとも一つの入力手段；
前記第２ネットワーク連結手段を通じて受信された前記音楽演奏サービスプログラムが設置されて遂行になって、前記音楽演奏ファイルを保存して、前記音楽演奏ファイル中で該当音楽を演奏する楽器に対する各音標を演奏順序を表した前記電子楽譜として変換して前記画面表示手段に提供して、前記少なくとも一つの入力手段により演奏操作になった指定音と該当音楽中で指定音以外の背景音を出力するための音楽演奏処理手段；
前記音楽演奏処理手段から提供された指定音と背景音とを合成して該当音楽を演奏するための音楽演奏手段；及び
前記音楽演奏手段により演奏になる該当音楽を出力するための出力手段と
を含むネットワーク基盤の音楽演奏サービスシステム。
【請求項８】
請求項７において、
前記音楽演奏処理手段は、
該当音楽を楽器別に分割したデータを有して、前記電子楽譜をリアルタイムで前記画面表示手段で表示して、使用者が一名である場合には前記電子楽譜を見て使用者が指定する指定音とその他の背景音とをミディ出力メッセージ形態として前記演奏手段に提供することを特徴とするネットワーク基盤の音楽演奏サービスシステム。
【請求項９】
請求項７において、
前記音楽演奏処理手段は、
該当音楽を楽器別に分割したデータを有して、前記電子楽譜をリアルタイムに前記画面表示手段で表示して、演奏者が少なくても２名である場合には前記総合演奏（合奏）データを前記音楽演奏手段に提供することを特徴とするネットワーク基盤の音楽演奏サービスシステム。
【請求項１０】
請求項７において、
前記少なくとも一つの入力手段は、
前記画面表示手段で表示された前記電子楽譜の各音標に対する演奏順序によって使用者の入力した演奏操作を前記音楽演奏処理手段に伝達する少なくとも一つの端末機であることを特徴とするネットワーク基盤の音楽演奏サービスシステム。
【請求項１１】
請求項７において、
前記電子楽譜は、
実質的に、該当音楽に対して使用者の演奏順序を時間進行によって現在演奏しなければならない所をスクロールして視覚的に指示して、楽器別にキー入力の難易度を調整したデジタル電子楽譜であることを特徴とするネットワーク基盤の音楽演奏サービスシステム。
【請求項１２】
請求項７において、
前記電子楽譜は、
実質的に、該当音楽に対して使用者の演奏順序を時間進行によって現在演奏しなければならない所をスクロールして視覚的に指示して、楽器別にキー入力の難易度を易くするために音標でオクターブをなくしてあらゆる音標を一オクターブに帰属させて音標で半音を全音に転移させた７個の音標として分割されたデジタル電子楽譜であることを特徴とするネットワーク基盤の音楽演奏サービスシステム。
【請求項１３】
請求項７において、
前記電子楽譜は、
実質的に、該当音楽に対して使用者の演奏順序を時間進行によって現在演奏しなければならない所をスクロールして視覚的に指示して、楽器別にキー入力の難易度を難しくするために入力キーを複数個として演奏時２ないし５オクターブ中のどれ一つを演奏できるデジタル電子楽譜であることを特徴とするネットワーク基盤の音楽演奏サービスシステム。
【請求項１４】
請求項５において、
前記音楽演奏ファイルは、
該当音楽に対する使用者の演奏順序と楽器別に音標が分割されて楽器別にタイミングによって演奏する音を表す仮想オーケストラシステム（ＶＯＳ）の音楽ファイルであるのに、
前記仮想オーケストラシステム（ＶＯＳ）の音楽ファイルを製作する過程は、
ミディファイルに保存されている曲メッセージらから必要な情報を得るためにミディメッセージをタイプ別に分離してメモリに保存する第１過程；
デルタ時間（Ｔｉｍｅ）で記載されている前記ミディファイルから絶対時間に修正する時変換作業と楽器と関連になった使用者別に区分して分割作業する第２過程；
楽器を長い間の期間の演習なし容易に演奏するように、該当音楽の演奏方式を単純化させて前記電子楽譜を生成する第３過程；及び
前記第３過程で生成された前記電子楽譜で音標の配置変更、演奏対象になる音標を削除して難易度を調整して、各該当音楽に対して使用者の演奏順序と楽器（トラック）別に音標が分割されて楽器別にタイミングによって演奏する音を表す音楽ファイルを生成する第４過程と
を含むネットワーク基盤の音楽演奏サービスシステム。
【請求項１５】
請求項１４において、
前記第３過程遂行後に、難易度が調整になった前記電子楽譜に曲に対する関連付加情報（すなわち、特定企業、商品、曲などを対象とする広報目的の広告文章、イメージ、サウンドクリップ）を挿入して各付加情報をいつ見せることかに対する時間を指定する第５過程
をもっとも含むネットワーク基盤の音楽演奏サービスシステム。
【請求項１６】
インターネットなどのような情報通信網を通じて音楽演奏サービスを提供するサーバーにおいて、
音楽演奏サービスプログラムを保存して、サービス制御手段の要請によって該当音楽演奏サービスプログラムを前記サービス制御手段に提供するプログラム貯蔵手段；
音楽演奏ファイルをジャンル別に分類して保存して、少なくとも一つの音楽演奏遂行手段により要請になった該当音楽演奏ファイルを前記サービス制御手段に提供する音楽ファイル貯蔵手段；
前記情報通信網を通じて前記少なくとも一つの音楽演奏遂行手段と連結して、前記音楽演奏ファイル、前記音楽演奏サービスプログラムを前記少なくとも一つの音楽演奏遂行手段に送信する第１ネットワーク連結手段；
音楽演奏サービスを制御して、前記少なくとも一つの音楽演奏遂行手段で要求する該当音楽演奏ファイル、該当音楽演奏サービスプログラムを前記第１ネットワーク連結手段に伝達する前記サービス制御手段；及び
前記少なくとも一つの音楽演奏遂行手段の情報と前記ファイル貯蔵手段に保存された音楽演奏ファイル情報、該当音楽に対する楽器別達成度を保存する貯蔵手段と
を含む音楽演奏サービスサーバー。
【請求項１７】
請求項１６において、
前記情報通信網を通じて前記少なくとも一つの音楽演奏遂行手段が所望の該当音楽及び該当音楽を演奏する楽器を選択して合奏を遂行することができる環境を提供して、個人演奏データを総合して総合演奏データを発生する多重合奏手段と
をもっとも含む音楽演奏サービスサーバー。
【請求項１８】
請求項１６または請求項１７において、
前記音楽演奏ファイルは、
該当音楽に対する使用者の演奏順序と楽器別に音標が分割されて楽器別にタイミングによって演奏する音を表す仮想オーケストラシステム（ＶＯＳ）音楽ファイルであることを特徴とする音楽演奏サービスサーバー。
【請求項１９】
請求項１８において、
前記第１ネットワーク連結手段は、
前記情報通信網を通じて前記少なくとも一つの音楽演奏遂行手段と連結して、前記音楽演奏ファイル、前記音楽演奏サービスプログラムを前記少なくとも一つの音楽演奏遂行手段に送信して、合奏遂行時前記少なくとも一つの音楽演奏遂行手段で発生する前記個人演奏（独奏）データを受信して前記総合演奏（合奏）データを前記少なくとも一つの音楽演奏遂行手段に送信することを特徴とする音楽演奏サービスサーバー。
【請求項２０】
請求項１８において、
前記サービス制御手段は、
音楽演奏サービスを制御して、前記少なくとも一つの音楽演奏遂行手段から要求する該当音楽演奏ファイル、該当音楽演奏サービスプログラムを前記第１ネットワーク連結手段に伝達して、前記個人演奏データを前記多重合奏手段に伝達して、前記総合演奏データを前記第１ネットワーク連結手段に伝達することを特徴とする音楽演奏サービスサーバー。
【請求項２１】
請求項１８において、
前記貯蔵手段は、
前記少なくとも一つの音楽演奏遂行手段の情報と前記ファイル貯蔵手段に保存された音楽演奏ファイル情報、該当音楽に対する楽器別達成度及び合奏達成度の情報を保存することを特徴とする音楽演奏サービスサーバー。
【請求項２２】
請求項１８において、
前記音楽演奏ファイルは、
該当音楽に対する使用者の演奏順序と楽器別に音標が分割されて楽器別にタイミングによって演奏する音を表す仮想オーケストラシステム（ＶＯＳ）音楽ファイルであるのに、
前記仮想オーケストラシステム（ＶＯＳ）音楽ファイルを製作する過程は、
ミディファイルに保存されている曲メッセージらから必要な情報を得るためにミディメッセージをタイプ別に分離してメモリに保存する第１過程；
デルタ時間（Ｔｉｍｅ）として記載されている前記ミディファイルから絶対時間に修正する時変換作業と楽器に関連になった使用者別に区分して分割作業する第２過程；
楽器を長い間の期間の演習なしに容易に演奏するように、該当音楽の演奏方式を単純化させて前記電子楽譜を生成する第３過程；及び
前記第３過程で生成された前記電子楽譜で音標の配置変更、演奏対象になる音標を削除して難易度を調整して、各該当音楽に対して使用者の演奏順序と楽器（トラック）別に音標が分割されて楽器別にタイミングによって演奏する音を表す音楽ファイルを生成する第４過程と
を含む音楽演奏サービスサーバー。
【請求項２３】
請求項２２において、
前記第３過程遂行後に、難易度が調整になった前記電子楽譜に曲に対する関連付加情報（すなわち、特定企業、商品、曲などを対象とする広報目的の広告文章、イメージ、サウンドクリップ）を挿入して各付加情報をいつ見せることかに対する時間を指定する第５過程
をもっとも含む音楽演奏サービスサーバー。
【請求項２４】
請求項１８において、
前記少なくとも一つの音楽演奏遂行手段は、
前記情報通信網を通じて前記音楽演奏サービス提供手段と連結して、前記音楽演奏サービス提供手段から前記音楽演奏ファイル、前記音楽演奏サービスプログラムを受信して、合奏遂行時前記個人演奏（独奏）データを前記音楽演奏サービス提供手段に送信して前記音楽演奏サービス提供手段から前記総合演奏（合奏）データを受信する第２ネットワーク連結手段；
前記第２ネットワーク連結手段を通じて受信された前記音楽演奏ファイルを供給するための音楽ファイル供給手段；
前記音楽演奏ファイル中で該当音楽を演奏する楽器に対する各音標を演奏順序を表した電子楽譜として表示するための画面表示手段；
前記画面表示手段に表示された電子楽譜の各音標に対する演奏順序にともなう使用者からの演奏操作を入力受けるための少なくとも一つの入力手段；
前記第２ネットワーク連結手段を通じて受信された前記音楽演奏サービスプログラムが設置されて遂行になって、前記音楽演奏ファイルを保存して、前記音楽演奏ファイル中で該当音楽を演奏する楽器に対する各音標を演奏順序を表した前記電子楽譜に変換して前記画面表示手段に提供して、前記少なくとも一つの入力手段により演奏操作になった指定音と該当音楽中で指定音以外の背景音を出力するための音楽演奏処理手段；
前記音楽演奏処理手段から提供された指定音と背景音とを合成して該当音楽を演奏するための音楽演奏手段；及び
前記音楽演奏手段により演奏になる該当音楽を出力するための出力手段と
を含む音楽演奏サービスサーバー。
【請求項２５】
請求項２４において、
前記音楽演奏処理手段は、
該当音楽を楽器別に分割したデータを有して、前記電子楽譜をリアルタイムに前記画面表示手段に表示して、使用者が一名である場合には前記電子楽譜を見て使用者の指定する指定音とその他の背景音とをミディ出力メッセージ形態で前記音楽演奏手段に提供して、演奏者が少なくても２名である場合には前記総合演奏（合奏）データを前記音楽演奏手段に提供することを特徴とする音楽演奏サービスサーバー。
【請求項２６】
請求項２４において、
前記電子楽譜は、
実質的に、該当音楽に対して使用者の演奏順序を時間進行によって現在演奏しなければならない所をスクロールして視覚的に指示して、楽器別にキー入力の難易度を調整したデジタル電子楽譜であることを特徴とする音楽演奏サービスサーバー。
【請求項２７】
請求項２４において、
前記電子楽譜は、
実質的に、該当音楽に対して使用者の演奏順序を時間進行によって現在演奏しなければならない所をスクロールして視覚的に指示して、楽器別にキー入力の難易度を易くするために音標でオクターブをなくしてあらゆる音標を一オクターブに帰属させて音標で半音を全音に転移させた７個の音標に分割して、楽器別にキー入力の難易度を難しくするために入力キーを複数個として演奏時２ないし５オクターブのいずれかの一つを演奏できるようにすることを特徴とする音楽演奏サービスサーバー。
【請求項２８】
音楽演奏サービスを提供する音楽演奏端末機において、
情報通信網を通じて音楽演奏サービス提供手段と連結して、前記音楽演奏サービス提供手段から音楽演奏ファイル、音楽演奏サービスプログラムを受信する第１ネットワーク連結手段；
前記第１ネットワーク連結手段を通じて受信された前記音楽演奏ファイルを供給するための音楽ファイル供給手段；
前記音楽演奏ファイル中で該当音楽を演奏する楽器に対する各音標を演奏順序を表した電子楽譜として表示するための画面表示手段；
前記画面表示手段に表示された前記電子楽譜の各音標に対する演奏順序にともなう使用者からの演奏操作を入力受けるための少なくとも一つの入力手段；
前記第１ネットワーク連結手段を通じて受信された前記音楽演奏サービスプログラムが設置されて遂行になって、前記音楽演奏ファイルを保存して、前記音楽演奏ファイル中で該当音楽を演奏する楽器に対する各音標を演奏順序を表した前記電子楽譜に変換して前記画面表示手段に提供して、前記少なくとも一つの入力手段により演奏操作になった指定音と該当音楽中で指定音以外の背景音とを出力するための音楽演奏処理手段；
前記音楽演奏処理手段から提供された指定音と背景音とを合成して該当音楽を演奏するための音楽演奏手段；及び
前記音楽演奏手段により演奏になる該当音楽を出力するための出力手段と
を含む音楽演奏端末機。
【請求項２９】
請求項２８において、
前記第１ネットワーク連結手段は、
情報通信網を通じて前記音楽演奏サービス提供手段と連結して、前記音楽演奏サービス提供手段から前記音楽演奏ファイル、前記音楽演奏サービスプログラムを受信して、合奏遂行時前記個人演奏（独奏）データを前記音楽演奏サービス提供手段に送信して前記音楽演奏サービス提供手段から前記総合演奏（合奏）データを受信することを特徴とする音楽演奏端末機。
【請求項３０】
請求項２８において、
前記音楽演奏サービス提供手段は、
前記音楽演奏ファイル、前記音楽演奏サービスプログラム、多数の使用者が該当音楽を合奏できる機能を提供することを特徴とする音楽演奏端末機。
【請求項３１】
請求項２８において、
前記音楽演奏サービス提供手段は、
前記情報通信網を通じて少なくとも二つの地域サーバーと連動になって、各々に前記音楽演奏ファイル、前記音楽演奏サービスプログラムを提供して、１地域サーバーで前記情報通信網を通じて前記音楽演奏端末機に個人独奏や多数の使用者が合奏できる機能を提供して他地域サーバーと前記情報通信網を通じて連動して合奏できる機能を提供することを特徴とする音楽演奏端末機。
【請求項３２】
請求項２８において、
前記音楽演奏サービス提供手段は、
前記音楽演奏サービスプログラムを保存して、サービス制御手段の要請によって該当音楽演奏サービスプログラムを前記サービス制御手段に提供するプログラム貯蔵手段；
前記音楽演奏ファイルをジャンル別に分類して保存して、前記音楽演奏端末機により要請になった該当音楽演奏ファイルを前記サービス制御手段に提供する音楽ファイル貯蔵手段；
前記情報通信網を通じて前記音楽演奏端末機と連結して、前記音楽演奏ファイル、前記音楽演奏サービスプログラムを前記音楽演奏端末機に送信し、合奏遂行時前記音楽演奏端末機で発生する前記個人演奏（独奏）データを受信して前記総合演奏（合奏）データを前記音楽演奏端末機に送信する第２ネットワーク連結手段；
音楽演奏サービスを制御して、前記音楽演奏端末機から要求する該当音楽演奏ファイル、該当音楽演奏サービスプログラムを前記第２ネットワーク連結手段に伝達して、前記個人演奏データを多重合奏手段に伝達して、前記総合演奏データを前記第２ネットワーク連結手段に伝達する前記サービス制御手段；
前記情報通信網を通じて前記音楽演奏端末機が所望の該当音楽及び該当音楽を演奏する楽器を選択して合奏を遂行することができる環境を提供して、前記個人演奏データを総合して前記総合演奏データを発生する前記多重合奏手段；及び
前記音楽演奏端末機の情報と前記ファイル貯蔵手段に保存された音楽演奏ファイル情報、該当音楽に対する楽器別達成度及び合奏達成度の情報とを保存する貯蔵手段と
を含む音楽演奏端末機。
【請求項３３】
請求項２８〜請求項３２のいずれかの一項において、
前記音楽演奏ファイルは、
該当音楽に対する使用者の演奏順序と楽器別に音標が分割されて楽器別にタイミングによって演奏する音を表す仮想オーケストラシステム（ＶＯＳ）音楽ファイルであることを特徴とする音楽演奏端末機。
【請求項３４】
請求項３３において、
前記音楽演奏処理手段は、
該当音楽を楽器別に分割したデータを有して、前記電子楽譜をリアルタイムに前記画面表示手段に表示して、使用者が一名である場合には前記電子楽譜を見て使用者の指定する指定音とその他の背景音とをミディ出力メッセージ形態として前記音楽演奏手段に提供して、演奏者が少なくても２名である場合には前記総合演奏（合奏）データを前記音楽演奏手段に提供することを特徴とする音楽演奏端末機。
【請求項３５】
請求項３３において、
前記電子楽譜は、
実質的に、該当音楽に対して使用者の演奏順序を時間進行によって現在演奏しなければならない所をスクロールして視覚的に指示して、楽器別にキー入力の難易度を調整したデジタル電子楽譜であることを特徴とする音楽演奏端末機。
【請求項３６】
請求項３３において、
前記電子楽譜は、
実質的に、該当音楽に対して使用者の演奏順序を時間進行によって現在演奏しなければならない所をスクロールして視覚的に指示して、楽器別にキー入力の難易度を容易にするために音標でオクターブをなくしてあらゆる音標を一オクターブに帰属させて音標で半音を全音に転移させた７個の音標に分割して、楽器別にキー入力の難易度を難しくするために入力キーを複数個にして演奏時２ないし５オクターブのいずれかの一つを演奏できるようにすることを特徴とする音楽演奏端末機。
【請求項３７】
歌の伴奏サービスシステムにおいて、
歌の伴奏ファイル、歌の伴奏サービスプログラム、多数の使用者が該当音楽を歌うことができる機能を提供する歌の伴奏サービス提供手段；及び
前記歌の伴奏サービス提供手段と情報通信網を通じて連結して、前記歌の伴奏ファイル、前記歌の伴奏サービスプログラムをダウンロード受けて、該当音楽を歌うことができる機能を提供する少なくとも一つの歌遂行手段と
を含むネットワーク基盤の歌の伴奏サービスシステム。
【請求項３８】
請求項３７において、
前記歌の伴奏サービス提供手段は、
前記歌の伴奏ファイル、前記歌の伴奏サービスプログラム、多数の使用者が該当音楽を合唱できる機能を提供することを特徴とするネットワーク基盤の歌の伴奏サービスシステム。
【請求項３９】
請求項３８において、
前記少なくとも一つの歌遂行手段は、
前記歌の伴奏サービス提供手段と情報通信網を通じて連結して、前記歌の伴奏ファイル、前記歌の伴奏サービスプログラムをダウンロード受けて、該当音楽を独唱し、または合唱できる機能を提供することを特徴とするネットワーク基盤の歌の伴奏サービスシステム。
【請求項４０】
請求項３７において、
前記歌の伴奏サービス提供手段は、
前記情報通信網を通じて少なくとも二つの地域サーバーと連動になって、各々に前記歌の伴奏ファイル、前記歌の伴奏サービスプログラムを提供して、１地域サーバーで前記情報通信網を通じて前記少なくとも一つの歌遂行手段に個人独唱または多数の使用者が合唱できる機能を提供して他地域サーバーと前記情報通信網を通じて連動して合唱できる機能を提供することを特徴とするネットワーク基盤の歌の伴奏サービスシステム。
【請求項４１】
請求項３７〜請求項４０のいずれかの一項において、
前記歌の伴奏ファイルは、
該当音楽に対する使用者の演奏順序と楽器別に音標が分割されて楽器別にタイミングによって演奏する音を表す仮想オーケストラシステム（ＶＯＳ）音楽ファイルに歌詞と拍子シンク（Ｓｙｎｃ）部分を挿入して、音楽に対する歌詞と使用者の歌の順序、その他伴奏音を表すカラオケ音楽ファイルであることを特徴とするネットワーク基盤の歌の伴奏サービスシステム。
【請求項４２】
請求項４１において、
前記歌の伴奏サービス提供手段は、
前記歌の伴奏サービスプログラムを保存して、サービス制御手段の要請によって該当歌の伴奏サービスプログラムを前記サービス制御手段に提供するプログラム貯蔵手段；
前記歌の伴奏ファイルをジャンル別に分類して保存して、前記少なくとも一つの歌遂行手段により要請になった該当歌の伴奏ファイルを前記サービス制御手段に提供する音楽ファイル貯蔵手段；
前記情報通信網を通じて前記少なくとも一つの歌遂行手段と連結して、前記歌の伴奏ファイル、前記歌の伴奏サービスプログラムを前記少なくとも一つの歌遂行手段に送信して、合唱遂行時前記少なくとも一つの歌遂行手段で発生する個人歌（独唱）データを受信して総合歌（合唱）データを前記少なくとも一つの歌遂行手段に送信する第１ネットワーク連結手段；
歌の伴奏サービスを制御して、前記少なくとも一つの歌遂行手段から要求する該当歌の伴奏ファイル、該当歌の伴奏サービスプログラムを前記第１ネットワーク連結手段に伝達して、前記個人歌データを多重合唱手段に伝達して、前記総合歌データを前記第１ネットワーク連結手段に伝達する前記サービス制御手段；
前記情報通信網を通じて前記少なくとも一つの歌遂行手段が所望の該当音楽を合唱できるように合唱環境を提供して、前記個人歌データを総合して前記総合歌データを発生する前記多重合唱手段；及び
前記少なくとも一つの歌遂行手段の情報と前記ファイル貯蔵手段に保存された歌の伴奏ファイル情報、該当音楽に対する独奏の達成度及び合唱の達成度の情報を保存する貯蔵手段と
を含むネットワーク基盤の歌の伴奏サービスシステム。
【請求項４３】
請求項４２において、
前記少なくとも一つの歌遂行手段は、
前記情報通信網を通じて前記歌の伴奏サービス提供手段と連結して、前記歌の伴奏サービス提供手段から前記歌の伴奏ファイル、前記歌の伴奏サービスプログラムを受信して、合唱遂行時前記個人歌（独唱）データを前記歌の伴奏サービス提供手段に送信して前記歌の伴奏サービス提供手段から前記総合歌（合唱）データを受信する第２ネットワーク連結手段；
前記第２ネットワーク連結手段を通じて受信された前記歌の伴奏ファイルを供給するための音楽ファイル供給手段；
前記歌の伴奏ファイル中で該当音楽に対する歌詞と歌の順序を表示するための画面表示手段；
前記画面表示手段に表示された歌の順序にともなう使用者の音声を入力受けるための使用者入力手段；
前記第２ネットワーク連結手段を通じて受信された前記歌の伴奏サービスプログラムが設置されて遂行になって、前記歌の伴奏ファイルを保存して、前記歌の伴奏ファイル中で歌詞と歌の順序を前記画面表示手段に提供して前記使用者入力手段により入力された使用者の音声と該当音楽中で使用者の音声以外の伴奏音を出力するための歌の伴奏処理手段；
前記歌の伴奏処理手段から提供された使用者の音声と伴奏音を合成して該当音楽を演奏するための音楽演奏手段；及び
前記音楽演奏手段により演奏になる該当音楽を出力するための出力手段と
を含むネットワーク基盤の歌の伴奏サービスシステム。
【請求項４４】
インターネットなどのような情報通信網を通じて歌の伴奏サービスを提供するサーバーにおいて、
歌の伴奏サービスプログラムを保存して、サービス制御手段の要請によって該当歌の伴奏サービスプログラムを前記サービス制御手段に提供するプログラム貯蔵手段；
歌の伴奏ファイルをジャンル別に分類して保存して、少なくとも一つの歌遂行手段により要請になった該当歌の伴奏ファイルを前記サービス制御手段に提供する音楽ファイル貯蔵手段；
前記情報通信網を通じて前記少なくとも一つの歌遂行手段と連結して、前記歌の伴奏ファイル、前記歌の伴奏サービスプログラムを前記少なくとも一つの歌遂行手段に送信する第１ネットワーク連結手段；
歌の伴奏サービスを制御して、前記少なくとも一つの歌遂行手段で要求する該当歌の伴奏ファイル、該当歌の伴奏サービスプログラムを前記第１ネットワーク連結手段に伝達する前記サービス制御手段；及び
前記少なくとも一つの歌遂行手段の情報と前記ファイル貯蔵手段に保存された歌の伴奏ファイル情報、該当音楽に対する個人別独唱達成度を保存する貯蔵手段と
を含む歌の伴奏サービスサーバー。
【請求項４５】
請求項４４において、
前記情報通信網を通じて前記少なくとも一つの歌遂行手段が所望の該当音楽を合唱できるように合唱環境を提供して、個人の歌データを総合して総合歌データを発生する多重合唱手段と
をもっとも含む歌の伴奏サービスサーバー。
【請求項４６】
請求項４４または請求項４５において、
前記歌の伴奏ファイルは、
該当音楽に対する使用者の演奏順序と楽器別に音標が分割されて楽器別にタイミングによって演奏する音を表す仮想オーケストラシステム（ＶＯＳ）音楽ファイルに歌詞と拍子シンク（Ｓｙｎｃ）部分を挿入して、音楽に対する歌詞と使用者の歌の順序、その他伴奏音を表すカラオケ音楽ファイルであることを特徴とする歌の伴奏サービスサーバー。
【請求項４７】
請求項４６において、
前記第１ネットワーク連結手段は、
前記情報通信網を通じて前記少なくとも一つの歌遂行手段と連結して、前記歌の伴奏ファイル、前記歌の伴奏サービスプログラムを前記少なくとも一つの歌遂行手段に送信して、合唱遂行時前記少なくとも一つの歌遂行手段で発生する前記個人の歌（独唱）データを受信して前記総合歌（合唱）データを前記少なくとも一つの歌遂行手段に送信することを特徴とする歌の伴奏サービスサーバー。
【請求項４８】
請求項４６において、
前記サービス制御手段は、
歌の伴奏サービスを制御して、前記少なくとも一つの歌遂行手段から要求する該当歌の伴奏ファイル、該当歌の伴奏サービスプログラムを前記第１ネットワーク連結手段に伝達して、前記個人の歌データを前記多重合唱手段に伝達して、前記総合歌データを前記第１ネットワーク連結手段に伝達することを特徴とする歌の伴奏サービスサーバー。
【請求項４９】
請求項４６において、
前記貯蔵手段は、
前記少なくとも一つの歌遂行手段の情報と前記ファイル貯蔵手段に保存された歌の伴奏ファイル情報、該当音楽に対する個人別独唱達成度及び合唱達成度の情報を保存することを特徴とする歌の伴奏サービスサーバー。
【請求項５０】
請求項４６において、
前記少なくとも一つの歌遂行手段は、
前記情報通信網を通じて前記歌の伴奏サービス提供手段と連結して、前記歌の伴奏サービス提供手段から前記歌の伴奏ファイル、前記歌の伴奏サービスプログラムを受信して、合唱遂行時前記個人歌（独唱）データを前記歌の伴奏サービス提供手段に送信して前記歌の伴奏サービス提供手段から前記総合歌（合唱）データを受信する第２ネットワーク連結手段；
前記第２ネットワーク連結手段を通じて受信された前記歌の伴奏ファイルを供給するための音楽ファイル供給手段；
前記歌の伴奏ファイル中該当音楽に対する歌詞と歌の順序を表示するための画面表示手段；
前記画面表示手段に表示された歌の順序にともなう使用者の音声を入力受けるための使用者入力手段；
前記第２ネットワーク連結手段を通じて受信された前記歌の伴奏サービスプログラムが設置されて遂行になって、前記歌の伴奏ファイルを保存して、前記歌の伴奏ファイル中歌歌詞と歌の順序を前記画面表示手段に提供して前記使用者の入力手段により入力された使用者の音声と該当音楽中で使用者の音声以外の伴奏音を出力するための歌の伴奏処理手段；
前記歌の伴奏処理手段から提供された使用者の音声と伴奏音を合成して該当音楽を演奏するための音楽演奏手段；及び
前記音楽演奏手段により演奏になる該当音楽を出力するための出力手段と
を含む歌の伴奏サービスサーバー。
【請求項５１】
請求項５０において、
前記歌の伴奏処理手段は、
該当音楽に対する歌詞と使用者の歌の順序、その他伴奏音に分割したデータであって、歌詞と歌の順序をリアルタイムに前記画面表示手段に表示して、使用者が一名である場合には歌の順序にともなう使用者の音声とその他の伴奏音をミディ出力メッセージ形態として前記音楽演奏手段に提供して、合唱者が少なくとも２名である場合には前記総合歌（合唱）データを前記音楽演奏手段に提供することを特徴とする歌の伴奏サービスサーバー。
【請求項５２】
歌の伴奏サービスを提供する歌の伴奏端末機において、
情報通信網を通じて歌の伴奏サービス提供手段と連結して、前記歌の伴奏サービス提供手段から歌の伴奏ファイル、歌の伴奏サービスプログラムを受信する第１ネットワーク連結手段；
前記第１ネットワーク連結手段を通じて受信された前記歌の伴奏ファイルを供給するための音楽ファイル供給手段；
前記歌の伴奏ファイル中で該当音楽に対する歌詞と歌の順序を表示するための画面表示手段；
前記画面表示手段に表示された歌の順序にともなう使用者の音声を入力受けるための使用者の入力手段；
前記第１ネットワーク連結手段を通じて受信された前記歌の伴奏サービスプログラムが設置されて遂行になって、前記歌の伴奏ファイルを保存して、前記歌の伴奏ファイル中で歌詞と歌の順序を前記画面表示手段に提供して前記使用者の入力手段により入力された使用者の音声と該当音楽中で使用者の音声以外の伴奏音を出力するための歌の伴奏処理手段；
前記歌の伴奏処理手段から提供された使用者の音声と伴奏音を合成して該当音楽を演奏するための音楽演奏手段；及び
前記音楽演奏手段により演奏になる該当音楽を出力するための出力手段と
を含む歌の伴奏端末機。
【請求項５３】
請求項５２において、
前記第１ネットワーク連結手段は、
情報通信網を通じて前記歌の伴奏サービス提供手段と連結して、前記歌の伴奏サービス提供手段から前記歌の伴奏ファイル、前記歌の伴奏サービスプログラムを受信して、合唱遂行時前記個人の歌（独唱）データを前記歌の伴奏サービス提供手段に送信して前記歌の伴奏サービス提供手段から前記総合歌（合唱）データを受信することを特徴とする歌の伴奏端末機。
【請求項５４】
請求項５２において、
前記歌の伴奏サービス提供手段は、
前記歌の伴奏ファイル、前記歌の伴奏サービスプログラム、多数の使用者が該当音楽を合唱できる機能を提供することを特徴とする歌の伴奏端末機。
【請求項５５】
請求項５２において、
前記歌の伴奏サービス提供手段は、
前記情報通信網を通じて少なくとも二つの地域サーバーと連動になって、各々に前記歌の伴奏ファイル、前記歌の伴奏サービスプログラムを提供して、１地域サーバーで前記情報通信網を通じて前記歌の伴奏端末機に個人独唱または多数の使用者が合唱できる機能を提供して他地域サーバーと前記情報通信網を通じて連動して合唱できる機能を提供することを特徴とする歌の伴奏端末機。
【請求項５６】
請求項５２において、
前記歌の伴奏サービス提供手段は、
前記歌の伴奏サービスプログラムを保存して、サービス制御手段の要請によって該当歌の伴奏サービスプログラムを前記サービス制御手段に提供するプログラム貯蔵手段；
前記歌の伴奏ファイルをジャンル別に分類して保存して、前記歌の伴奏端末機により要請になった該当歌の伴奏ファイルを前記サービス制御手段に提供する音楽ファイル貯蔵手段；
前記情報通信網を通じて前記歌の伴奏端末機と連結して、前記歌の伴奏ファイル、前記歌の伴奏サービスプログラムを前記歌の伴奏端末機に送信して、合唱遂行時前記歌の伴奏端末機で発生する前記個人の歌（独唱）データを受信して前記総合歌（合唱）データを前記歌の伴奏端末機に送信する第２ネットワーク連結手段；
歌の伴奏サービスを制御して、前記歌の伴奏端末機で要求する該当歌の伴奏ファイル、該当歌の伴奏サービスプログラムを前記第２ネットワーク連結手段に伝達して、前記個人歌データを多重合唱手段に伝達して、前記総合歌データを前記第２ネットワーク連結手段に伝達する前記サービス制御手段；
前記情報通信網を通じて前記歌の伴奏端末機が合唱を所望の該当音楽を合唱できる合唱環境を提供して、前記個人の歌データを総合して前記総合歌データを発生する前記多重合唱手段；及び
前記歌の伴奏端末機の情報と前記ファイル貯蔵手段に保存された歌の伴奏ファイル情報、該当音楽に対する個人別の独唱達成度及び合唱の達成度の情報を保存する貯蔵手段と
を含む歌の伴奏端末機。
【請求項５７】
請求項５２〜請求項５６のいずれかの一項において、
前記歌の伴奏ファイルは、
該当音楽に対する使用者の演奏順序と楽器別に音標が分割されて楽器別にタイミングによって演奏する音を表す仮想オーケストラシステム（ＶＯＳ）音楽ファイルに歌詞と拍子シンク（Ｓｙｎｃ）部分を挿入して、音楽に対する歌詞と使用者の歌の順序、その他伴奏音を表すカラオケ音楽ファイルであることを特徴とする歌の伴奏端末機。
【請求項５８】
請求項５７において、
前記歌の伴奏処理手段は、
該当音楽に対する歌詞と使用者の歌の順序、その他伴奏音に分割したデータを有して、歌詞と歌の順序をリアルタイムに前記画面表示手段に表示して、使用者が一名である場合には歌の順序にともなう使用者の音声とその他の伴奏音をミディ出力メッセージ形態に前記音楽演奏手段に提供して、合唱者が少なくとも２名である場合には前記総合歌（合唱）データを前記音楽演奏手段に提供することを特徴とする歌の伴奏端末機。
【請求項５９】
インターネット、公衆電話網などのような情報通信網を通した音楽演奏サービス方法において、
音楽演奏サービスサーバーが該当音楽に対して使用者の演奏順序と楽器別に音標が分割されて楽器別にタイミングによって演奏する音を表す音楽演奏ファイルを生成する第１ステップ；
前記情報通信網を通じて音楽演奏サービスを受けようとする使用者の接続時に、使用者の認証過程を行う第２ステップ；
前記第２ステップの認証結果によって、正当な使用者に限り前記音楽演奏サービスサーバーが前記情報通信網を通じて前記音楽演奏ファイル、音楽演奏サービスプログラムを音楽演奏端末機に提供する第３ステップ；及び
前記第２ステップの認証結果によって、正当な使用者に限り前記音楽演奏サービスサーバーが前記情報通信網を通じて音楽演奏をサービスする第４ステップと  を含むネットワーク基盤の音楽演奏サービス方法。
【請求項６０】
請求項５９において、
前記第２ステップの認証結果によって、正当な使用者に限り前記音楽演奏サービスサーバーが使用者の情報を照会及び変更処理する第５ステップ
をもっとも含むネットワーク基盤の音楽演奏サービス方法。
【請求項６１】
請求項６０において、
前記第５ステップは、
使用者の情報照会及び変更時に、前記使用者の情報を前記音楽演奏端末機に伝送する第６ステップ；
前記音楽演奏端末機が画面表示装置に前記使用者の情報をディスプレイする第７ステップ；及び
前記使用者の情報変更時に、前記音楽演奏サービスサーバーが変更になった使用者の情報をデータベースで更新する第８ステップと
を含むネットワーク基盤の音楽演奏サービス方法。
【請求項６２】
請求項５９において、
前記音楽演奏サービスサーバーは、
前記音楽演奏ファイル、前記音楽演奏サービスプログラム、多数の使用者が該当音楽を合奏できる機能を提供することを特徴とするネットワーク基盤の音楽演奏サービス方法。
【請求項６３】
請求項６２において、
前記音楽演奏端末機は、
前記音楽演奏サービスサーバーと情報通信網を通じて連結して、前記音楽演奏ファイル、前記音楽演奏サービスプログラムをダウンロード受けて、該当音楽を独奏し、または合奏できる機能を提供することを特徴とするネットワーク基盤の音楽演奏サービス方法。
【請求項６４】
請求項５９において、
前記音楽演奏サービスサーバーは、
前記情報通信網を通じて少なくとも二つの地域サーバーと連動になって、各々に前記音楽演奏ファイル、前記音楽演奏サービスプログラムを提供して、１地域サーバーで前記情報通信網を通じて前記音楽演奏端末機に個人独奏または多数の使用者が合奏できる機能を提供して他地域サーバーと前記情報通信網を通じて連動して合奏できる機能を提供することを特徴とするネットワーク基盤の音楽演奏サービス方法。
【請求項６５】
請求項５９〜請求項６４のいずれかの一項において、
前記音楽演奏ファイルは、該当音楽に対する使用者の演奏順序と楽器別に音標が分割されて楽器別にタイミングによって演奏する指定音、その他背景音を表す仮想オーケストラシステム（ＶＯＳ）音楽ファイルであることを特徴とするネットワーク基盤の音楽演奏サービス方法。
【請求項６６】
請求項６５において、
前記音楽演奏端末機は、
前記音楽演奏サービスサーバーから前記情報通信網を通じて前記音楽演奏サービスプログラム及び前記音楽演奏ファイルをダウンロードして前記音楽演奏サービスプログラムを設置して、前記音楽演奏サービスプログラムを駆動して前記音楽演奏ファイルを土台として該当音楽を独奏し、または合奏できる機能を提供することを特徴とするネットワーク基盤の音楽演奏サービス方法。
【請求項６７】
請求項６５において、
前記第１ステップは、
ミディファイルに保存されている曲メッセージらから必要な情報を得るためにミディメッセージをタイプ別に分離してメモリに保存する第９ステップ；
デルタ時間（Ｔｉｍｅ）に記載されている前記ミディファイルから絶対時間に修正する時変換作業と楽器に関連になった使用者別に区分して分割作業する第１０ステップ；
楽器を長い間の期間の演習なしに容易に演奏するように、該当音楽の演奏方式を単純化させて前記電子楽譜を生成する第１１ステップ；及び
前記第１１ステップで生成された前記電子楽譜で音標の配置変更、演奏対象になる音標を削除して難易度を調整して、各該当音楽に対して使用者の演奏順序と楽器（トラック）別に音標が分割されて楽器別にタイミングによって演奏する音を表す音楽ファイルを生成する第１２ステップと
を含むネットワーク基盤の音楽演奏サービス方法。
【請求項６８】
請求項６７において、
前記第１１ステップ遂行後に、難易度が調整になった前記電子楽譜に曲に対する関連付加情報（すなわち、特定企業、商品、曲などを対象とする広報目的の広告文章、イメージ、サウンドクリップ）を挿入して各付加情報をいつ見せることかに対する時間を指定する第１３ステップと
をもっとも含むネットワーク基盤の音楽演奏サービス方法。
【請求項６９】
請求項６８において、
前記電子楽譜は、
実質的に、該当音楽に対して使用者の演奏順序を時間進行によって現在演奏しなければならない所をスクロールして視覚的に指示して、楽器別にキー入力の難易度を調整したデジタル電子楽譜であることを特徴とするネットワーク基盤の音楽演奏サービス方法。
【請求項７０】
請求項６８において、
前記電子楽譜は、
実質的に、該当音楽に対して使用者の演奏順序を時間進行によって現在演奏しなければならない所をスクロールして視覚的に指示して、楽器別にキー入力の難易度を易くするために音標でオクターブをなくしてあらゆる音標を一オクターブに帰属させて音標で半音を全音に転移させた７個の音標に分割されたデジタル電子楽譜であることを特徴とするネットワーク基盤の音楽演奏サービス方法。
【請求項７１】
請求項６８において、
前記電子楽譜は、
実質的に、該当音楽に対して使用者の演奏順序を時間進行によって現在演奏しなければならない所をスクロールして視覚的に指示して、楽器別にキー入力の難易度を難しくするために入力キーを複数個として演奏時２ないし５オクターブのいずれかの一つを演奏できるデジタル電子楽譜であることを特徴とするネットワーク基盤の音楽演奏サービス方法。
【請求項７２】
請求項６５において、
前記第４ステップの音楽演奏サービス過程中で個人演奏サービス過程は、
前記音楽演奏サービスサーバーを通した個人演奏を遂行することかを判断する第９ステップ；
前記第９ステップの判断結果、前記音楽演奏端末機を通じて個人演奏をサービスする第１０ステップ；及び
前記第９ステップの判断結果、前記音楽演奏サービスサーバーを通じて個人演奏をサービスする第１１ステップと
を含むネットワーク基盤の音楽演奏サービス方法。
【請求項７３】
請求項７２において、
前記第１０ステップは、
前記音楽演奏端末機が使用者から該当演奏曲及び演奏する楽器を選択受ける第１２ステップ；
画面表示装置を通じて該当演奏曲を演奏する楽器に対する各音標を演奏順序を表した電子楽譜にディスプレイする第１３ステップ；
使用者が前記画面表示装置にディスプレイになった前記電子楽譜に沿って演奏を遂行すれば、前記音楽演奏端末機の音楽演奏処理処置が入力装置から使用者の演奏入力を受信する第１４ステップ；
前記演奏入力に背景音を合成して演奏音を出力する第１５ステップ；及び
前記音楽演奏処理処置が該当音楽演奏ファイルの楽器演奏に対する達成度を前記画面表示装置に出力する第１６ステップと
を含むネットワーク基盤の音楽演奏サービス方法。
【請求項７４】
請求項７２において、
前記第１１ステップは、
前記音楽演奏サービスサーバーが使用者から前記音楽演奏ファイル中で演奏する曲を選択受ける第１２ステップ；
前記選択された曲が前記音楽演奏端末機に存在しているかを確認して、存在しなければ選択された曲に該当する前記音楽演奏ファイルを前記音楽演奏端末機に提供する第１３ステップ；
前記音楽演奏端末機で前記選択された曲を演奏する楽器を選択受ける第１４ステップ；
画面表示装置を通じて該当演奏曲を演奏する楽器に対する各音標を演奏順序を表した電子楽譜にディスプレイする第１５ステップ；
使用者が前記画面表示装置にディスプレイになった前記電子楽譜に沿って演奏を遂行すれば、前記音楽演奏端末機の音楽演奏処理装置が入力装置から使用者の演奏入力を受信する第１６ステップ；
前記演奏入力に背景音を合成して演奏音を出力する第１７ステップ；
前記音楽演奏処理処置が使用者の該当音楽演奏ファイルの楽器に対する達成度を前記画面表示装置に出力して、ネットワーク連結装置を利用して演奏に関連した情報を前記音楽演奏サービスサーバーのデータベースに保存する第１８ステップ；及び
使用者が他の曲を演奏することかを確認して、他の曲を演奏しようとする場合に前記第１２ステップに移る第１９ステップと
を含むネットワーク基盤の音楽演奏サービス方法。
【請求項７５】
請求項６５において、
前記第４ステップの音楽演奏サービス過程中合奏サービス過程は、
前記音楽演奏サービスサーバーに接続した使用者から合奏曲を選択受ける第９ステップ；
前記選択された曲が前記音楽演奏端末機に存在するかを確認して、存在しなければ選択された合奏曲を前記音楽演奏端末機に伝送して、前記選択された曲の選択可能な楽器リストを各音楽演奏端末機にディスプレイする第１０ステップ；
各使用者から前記楽器リストで自身が演奏する楽器を選択受けて合奏を遂行して、該当情報を保存する第１１ステップ；及び
使用者から他の曲を演奏することかを確認受けて、他の曲を演奏しようとする場合に前記第９ステップに移る第１２ステップと
を含むネットワーク基盤の音楽演奏サービス方法。
【請求項７６】
請求項７５において、
前記第９ステップは、前記音楽演奏サービスサーバーに接続した使用者が合奏のための他の使用者と合奏する曲を協議する第１３ステップ；
使用者から該当合奏曲が存在する音楽ジャンルを選択受ける第１４ステップ；及び
使用者から前記協議した合奏曲を選択受ける第１５ステップと
を含むネットワーク基盤の音楽演奏サービス方法。
【請求項７７】
請求項７５において、
前記第１１ステップは、
各使用者から前記楽器リストで自身が演奏する楽器を選択受ける第１３ステップ；
前記各音楽演奏端末機の画面表示装置に選択された曲の電子楽譜をディスプレイする第１４ステップ；
各使用者が自身の選択した楽器を演奏すれば、各使用者の演奏入力を総合して演奏を遂行する各使用者に提供する第１５ステップ；
前記音楽演奏サービスサーバーが合奏達成度を計算して前記各使用者に伝送する第１６ステップ；及び
合奏情報をデータベースに保存する第１７ステップと
を含むネットワーク基盤の音楽演奏サービス方法。
【請求項７８】
請求項６６において、
前記音楽演奏端末機での音楽演奏過程は、
前記音楽演奏端末機が前記音楽演奏ファイルをダウンロードして貯蔵手段に保存する第１過程；
使用者の要求によって、前記貯蔵手段に保存された前記音楽演奏ファイルら中で該当音楽演奏ファイルを読んで該当音楽の各音標を演奏順序を表した前記電子楽譜に画面表示装置にディスプレイして、演奏する指定音以外の背景音を出力する第２過程；
前記画面表示装置に表示された前記電子楽譜の各音標に対する演奏順序にともなう使用者からの演奏操作を入力される第３過程；及び
前記演奏操作になった指定音と該当音楽中で指定音以外の背景音を合成して出力する第４過程と
を含むネットワーク基盤の音楽演奏サービス方法。
【請求項７９】
インターネット、公衆電話網などのような情報通信網を通した歌の伴奏サービス方法において、
歌の伴奏サービスサーバーが該当音楽に対して使用者の演奏順序と楽器別に音標が分割されて楽器別にタイミングによって演奏する音を表す音楽演奏ファイルを生成して、前記音楽演奏ファイルに歌詞と拍子シンク（Ｓｙｎｃ）部分を挿入して前記該当音楽に対する歌詞と使用者の歌の順序、その他伴奏音を表す歌の伴奏音楽ファイルを生成する第１ステップ；
前記情報通信網を通じて歌の伴奏サービスを受けようとする使用者の接続時に、使用者の認証過程を遂行する第２ステップ；
前記第２ステップの認証結果によって、正当な使用者に限り前記歌の伴奏サービスサーバーが前記情報通信網を通じて前記歌の伴奏ファイル、歌の伴奏サービスプログラムを歌の伴奏端末機に提供する第３ステップ；及び
前記第２ステップの認証結果によって、正当な使用者に限り前記歌の伴奏サービスサーバーが前記情報通信網を通じて歌の伴奏をサービスする第４ステップと  を含むネットワーク基盤の歌の伴奏サービス方法。
【請求項８０】
請求項７９において、
前記第２ステップの認証結果によって、正当な使用者に限り前記歌の伴奏サービスサーバーが使用者の情報を照会及び変更処理する第５ステップ
をもっとも含むネットワーク基盤の歌の伴奏サービス方法。
【請求項８１】
請求項８０において、
前記第５ステップは、
使用者の情報照会及び変更時に、前記使用者の情報を前記歌の伴奏端末機に伝送する第６ステップ；
前記歌の伴奏端末機が画面表示装置に前記使用者の情報をディスプレイする第７ステップ；及び
前記使用者の情報変更時に、前記音楽演奏サービスサーバーが変更になった使用者の情報をデータベースで更新する第８ステップと
を含むネットワーク基盤の歌の伴奏サービス方法。
【請求項８２】
請求項７９において、
前記歌の伴奏サービスサーバーは、
前記歌の伴奏ファイル、前記歌の伴奏サービスプログラム、多数の使用者が該当音楽を合唱できる機能を提供することを特徴とするネットワーク基盤の歌の伴奏サービス方法。
【請求項８３】
請求項８２において、
前記歌の伴奏端末機は、
前記歌の伴奏サービスサーバーと情報通信網を通じて連結して、前記歌の伴奏ファイル、前記歌の伴奏サービスプログラムをダウンロード受けて、該当音楽を独唱し、または合唱できる機能を提供することを特徴とするネットワーク基盤の歌の伴奏サービス方法。
【請求項８４】
請求項７９において、
前記歌の伴奏サービスサーバーは、
前記情報通信網を通じて少なくとも二つの地域サーバーと連動になって、各々に前記歌の伴奏ファイル、前記歌の伴奏サービスプログラムを提供して、１地域サーバーで前記情報通信網を通じて前記歌の伴奏端末機に個人独唱または多数の使用者の合唱できる機能を提供して他地域サーバーと前記情報通信網を通じて連動して合唱できる機能を提供することを特徴とするネットワーク基盤の歌の伴奏サービス方法。
【請求項８５】
請求項７９〜請求項８４のいずれかの一項において、
前記歌の伴奏ファイルは、
該当音楽に対する使用者の演奏順序と楽器別に音標が分割されて楽器別にタイミングによって演奏する音を表す仮想オーケストラシステム（ＶＯＳ）音楽ファイルに歌詞と拍子シンク（Ｓｙｎｃ）部分を挿入して、音楽に対する歌詞と使用者の歌の順序、その他伴奏音を表すカラオケ音楽ファイルであることを特徴とするネットワーク基盤の歌の伴奏サービス方法。
【請求項８６】
請求項８５において、
前記歌の伴奏端末機は、
前記歌の伴奏サービスサーバーから前記情報通信網を通じて前記歌の伴奏サービスプログラム及び前記歌の伴奏ファイルをダウンロードして前記歌の伴奏サービスプログラムを設置して、前記歌の伴奏サービスプログラムを駆動して前記歌の伴奏ファイルを土台として該当音楽を独唱し、または合唱できる機能を提供することを特徴とするネットワーク基盤の歌の伴奏サービス方法。
【請求項８７】
請求項８５において、
前記第４ステップの歌の伴奏サービス過程中で個人の歌サービス過程は、
前記歌の伴奏サービスサーバーを通した個人の歌を遂行することかを判断する第９ステップ；
前記第９ステップの判断結果、前記歌の伴奏端末機を通じて個人の歌をサービスする第１０ステップ；及び
前記第９ステップの判断結果、前記歌の伴奏サービスサーバーを通じて個人歌をサービスする第１１ステップと
を含むネットワーク基盤の歌の伴奏サービス方法。
【請求項８８】
請求項８７において、
前記第１０ステップは、
前記歌の伴奏端末機が使用者から該当曲目を選択受ける第１２ステップ；
画面表示装置を通じて該当曲の歌詞と歌の順序をディスプレイして、伴奏音を出力する第１３ステップ；
使用者が前記画面表示装置にディスプレイになった歌の順序によって歌を歌えば、前記歌の伴奏端末機の歌の伴奏処理装置が入力装置から使用者の音声を受信する第１４ステップ；
使用者の音声に伴奏音を合成して出力する第１５ステップ；及び
該当音楽に対する達成度を前記画面表示装置に出力する第１６ステップと
を含むネットワーク基盤の歌の伴奏サービス方法。
【請求項８９】
請求項８７において、
前記第１１ステップは、
前記歌の伴奏サービスサーバーが使用者から歌を歌う曲目を選択受ける第１２ステップ；
前記選択された曲が前記歌の伴奏端末機に存在しているかを確認して、存在しなければ選択された曲に該当する前記歌の伴奏ファイルを前記歌の伴奏端末機に提供する第１３ステップ；
前記歌の伴奏端末機で画面表示装置を通じて該当曲の歌詞と歌の順序をディスプレイして、伴奏音を出力する第１４ステップ；
使用者が前記画面表示装置にディスプレイになった歌の順序によって歌を歌えば、前記歌の伴奏端末機の歌の伴奏処理装置が入力装置から使用者の音声を受信する第１５ステップ；
使用者の音声に伴奏音を合成して出力する第１６ステップ；及び
該当音楽に対する達成度を前記画面表示装置に出力して、ネットワーク連結装置を利用して歌に関連した情報を前記歌の伴奏サービスサーバーのデータベースに保存する第１７ステップ；及び
使用者が他の曲を演奏することかを確認して、他の曲を演奏しようとする場合に前記第１２ステップに移る第１８ステップと
を含むネットワーク基盤の歌の伴奏サービス方法。
【請求項９０】
請求項８５において、
前記第４ステップの歌の伴奏サービス過程中で合唱サービス過程は、
前記歌の伴奏サービスサーバーに接続した使用者から合唱曲を選択受ける第９ステップ；
前記選択された曲が前記歌の伴奏端末機に存在するかを確認して、存在しなければ選択された合唱曲を前記歌の伴奏端末機に伝送する第１０ステップ；
前記歌の伴奏端末機の画面表示装置を通じて該当曲の歌詞と歌の順序をディスプレイして、伴奏音を出力する第１１ステップ；
各使用者から音声を入力されて合唱を遂行して、該当情報を保存する第１２ステップ；及び
使用者から他の曲を歌うことかを確認受けて、他の曲を歌おうとする場合に前記第９ステップに移る第１３ステップと
を含むネットワーク基盤の歌の伴奏サービス方法。
【請求項９１】
請求項９０において、
前記第９ステップは、
前記歌の伴奏サービスサーバーに接続した使用者が他の使用者と合唱する曲を協議する第１４ステップ；
使用者から該当合唱曲が存在する音楽ジャンルを選択受ける第１５ステップ；及び
使用者から前記協議した合唱曲を選択受ける第１６ステップと
を含むネットワーク基盤の歌の伴奏サービス方法。
【請求項９２】
請求項９０において、
前記第１２ステップは、
各使用者が歌を歌えば、各使用者の音声を総合して歌を歌う各使用者に提供する第１４ステップ；
前記歌の伴奏サービスサーバーが合唱達成度を計算して前記各使用者に伝送する第１５ステップ；及び
合唱情報をデータベースに保存する第１６ステップと
を含むネットワーク基盤の歌の伴奏サービス方法。
【請求項９３】
請求項８６において、
前記歌の伴奏端末機での歌の伴奏過程は、
前記歌の伴奏端末機が前記歌の伴奏ファイルをダウンロードして貯蔵手段に保存する第１過程；
使用者の要求によって、前記貯蔵手段に保存された前記歌の伴奏ファイルら中で該当歌の伴奏ファイルを読んで該当音楽に対する歌詞と歌の順序を画面表示装置にディスプレイして、伴奏音を出力する第２過程；
前記画面表示装置に表示された歌の順序にともなう使用者の音声を入力される第３過程；及び
使用者の音声と伴奏音とを合成して出力する第４過程と
を含むネットワーク基盤の歌の伴奏サービス方法。
【請求項９４】
プロセッサーを具備した音楽演奏サービスシステムに、
音楽演奏サービスサーバーが該当音楽に対して使用者の演奏順序と楽器別に音標が分割されて楽器別にタイミングによって演奏する音を表す音楽演奏ファイルを生成する第１機能；
情報通信網を通じて音楽演奏サービスを受けようとする使用者の接続時に、使用者の認証過程を遂行する第２機能；
前記第２機能の認証結果によって、正当な使用者に限り前記音楽演奏サービスサーバーが前記情報通信網を通じて前記音楽演奏ファイル、音楽演奏サービスプログラムを音楽演奏端末機に提供する第３機能；及び
前記第２機能の認証結果によって、正当な使用者に限り前記音楽演奏サービスサーバーが前記情報通信網を通じて音楽演奏をサービスする第４機能と
を実現させるためのプログラムを記録したコンピュータで読むことができる記録媒体。
【請求項９５】
請求項９４において、
前記第２機能の認証結果によって、正当な使用者に限り前記音楽演奏サービスサーバーが使用者情報を照会及び変更処理する第５機能
をもっとも実現させるためのプログラムを記録したコンピュータで読むことができる記録媒体。
【請求項９６】
プロセッサーを具備した歌の伴奏サービスシステムに、
歌の伴奏サービスサーバーが該当音楽に対して使用者の演奏順序と楽器別に音標が分割されて楽器別にタイミングによって演奏する音を表す音楽演奏ファイルを生成して、前記音楽演奏ファイルに歌詞と拍子シンク（Ｓｙｎｃ）部分を挿入して前記該当音楽に対する歌詞と使用者の歌の順序、その他伴奏音を表す歌の伴奏音楽ファイルを生成する第１機能；
情報通信網を通じて歌の伴奏サービスを受けようとする使用者の接続時に、使用者の認証過程を遂行する第２機能；
前記第２機能の認証結果によって、正当な使用者に限り前記歌の伴奏サービスサーバーが前記情報通信網を通じて前記歌の伴奏ファイル、歌の伴奏サービスプログラムを歌の伴奏端末機に提供する第３機能；及び
前記第２機能の認証結果によって、正当な使用者に限り前記歌の伴奏サービスサーバーが前記情報通信網を通じて歌の伴奏をサービスする第４機能と
を実現させるためのプログラムを記録したコンピュータで読むことができる記録媒体。
【請求項９７】
請求項９６において、
前記第２機能の認証結果によって、正当な使用者に限り前記歌の伴奏サービスサーバーが使用者情報を照会及び変更処理する第５機能
をもっとも実現させるためのプログラムを記録したコンピュータで読むことができる記録媒体。
【発明の詳細な説明】
【０００１】
【発明の属する技術分野】
本発明はネットワーク基盤の音楽演奏／歌の伴奏サービスシステム及びその方法に関したことで、特にデジタル音楽ファイル（例えば、ミディ（ＭＩＤＩ）等）を楽器別に演奏指示及び演奏音再生が可能に変換させた仮想オーケストラシステム（ＶＯＳ）ファイルを利用して、独奏または独奏／独唱し、または多数の遠隔使用者と合奏または合奏／合唱できるようにするネットワーク基盤の音楽演奏／歌の伴奏サービスシステム及びその方法と、前記方法を実現させるためのプログラムを記録したコンピュータで読むことができる記録媒体に関するものである。
【０００２】
【背景技術】
一般的に、歌の伴奏とは歌を歌う人を助けるために多様な楽器の声及び特定の声を出すこととして電子工学の発達とともに電子的に音を処理する装置を通じて多くの人の伴奏することを代行するようになった。
【０００３】
このような装置は特定な曲を人間の音声が含まれない伴奏を構成する楽器等、音の要素をデジタル化した音元の波形を組合、信号化して伴奏を提供するようになる。また、このような装置にテレビ（ＴＶ）を通じて背景映像及び歌詞を歌の伴奏に合せて表示することによって歌を歌う人の興味が湧かれるように歌詞を確認するようにするサービスを提供するカラオケなどを容易に見ることができる。このような歌の伴奏装置内にはそれぞれの曲に対する歌の伴奏データを含むメモリがあって伴奏の要求時に該当曲に対する伴奏データを含むメモリを追加設置しなければならない。
【０００４】
また、これと同じ一般的な歌の伴奏機の移動性のために野外等で歌の伴奏をするために多くの曲を携帯用装置に収録して有線または無線でアンプまたはＴＶ等に連結して使用する。しかし、新しい歌の発表によって新曲を迅速に追加するのは難しくて日程時間が過ぎれば新しい歌らが収録になった装置で変えるべきである。
【０００５】
最近には有線データ通信の発達によってインターネットが商用化されて、伴奏データだけでなく歌手の音声が含まれた曲の自体をデジタルデータ化してどの誰でもインターネット接続だけでも自分の所望の曲のみを選別的にダウンロード受けて音楽カードが内蔵されたコンピュータで曲を聞くことができる。特に、インターネットのようなデータ通信網を通した音楽データの獲得は多様な種類の音楽データ形態を必要に合うように変換できて装置に合うようにデータを加工して音楽を聞くことができるようにする。最近にはダウンロード受けた音楽ファイルをコンピュータでケーブルを通じて圧縮形態の音楽を伝送して歌を聞くことができるようにする携帯用装置が開発されて人気を得ているが、このような用途の周知になったＭＰ３（Ｍｕｓｉｃ  Ｐｌａｙｅｒ−３）ファイルは１曲当概略３ないし５Ｍｂｙｔｅ程度でデータの量が多くてメモリをだいぶ必要として伝送速度も非常にのろい問題点があった。
【０００６】
ミディ（ＭＩＤＩ：Ｍｕｓｉｃａｌ  Ｉｎｓｔｒｕｍｅｎｔ  Ｄｉｇｉｔａｌ  Ｉｎｔｅｒｆａｃｅ）は電子機器を通じて演奏音を再生できるように作って置いた音楽ファイル形式の一類型として、電子楽器間にやりとりするデータの互換性のために国際的な規格で制定されている。大部分の電子楽器はこのようなＭＩＤＩ規格を基礎としたデータの送受信機能を揃えている。例えば、電子楽器中で家庭用としては大きく電子オルガン、電子ピアノ、電子キーボード等で交わすことができて、このようなあらゆる電子楽器はアナログ回路またはデジタル回路を利用して演奏音波形を合成して出力するようになっているのに、これらもやはりＭＩＤＩ規格に従っている。
【０００７】
言い換えれば、ＭＩＤＩは楽器の演奏情報をデジタル信号として伝達するにあたって互換性を確保するために必要な局地的な規格ということができて、５ピンの専用ケーブルを使用しチャネルメッセージとシステムメッセージを送受信するように勧告して、この時のチャネルメッセージとしては主に演奏データ音階、音長、強弱、音色プログラムの変換データ情報などを含むように勧告する点をその例に上げることができる。
【０００８】
ところが、最近ではパソコン（ＰＣ）とデータを共有しＰＣで電子楽器をコントロールすることが多くなって、ＰＣでＭＩＤＩ端子付けの電子楽器をコントロールするのにはＰＣ内部で使われている信号を電子楽器のためのＭＩＤＩ信号で変換させる必要があって、そのようにするためにはＭＩＤＩインターフェースが必要とするようになる。このようなＭＩＤＩインターフェースには内部に中央制御装置（ＣＰＵ）を内蔵しているインテリジェント型と内蔵していないナンインテリジェント型がある。そして現在、チャネル情報は１６種類のそれぞれ他のチャネル情報を１糸のケーブルで送信することができるために、１６種類の楽器演奏音を含むＭＩＤＩファイル伝送が容易である（参考にこのようなチャネル情報の拡張または減少は必要によって可能である）。
【０００９】
本発明は上のような諸般環境及び資源を応用する技術として提案になったのである。
【００１０】
従来の場合として、音楽演奏ゲームシステムとして広く知られた日本”ＫＯＮＡＭＩ”社のビットマニア（ＢｅａｔＭａｎｉａ）（商標名である）に対して一層詳細に注意深くみるようにする。
【００１１】
前記ビットマニア（ＢｅａｔＭａｎｉａ）システムは、基本的にオフラインゲームシステムであり、事前設定された演奏操作時点でゲーム者が演奏操作するよう指示してそれに沿い演奏者が演奏操作すると、ゲーム者の選択した楽器に対して事前に設定された演奏音ウェーブ（使用者の入力ウェーブ）にディスクジョッキー（ＤＪ）が音楽に合う効果音ウェーブ（前記使用者の入力ウェーブ以外の残り背景音ウェーブを意味する）をミックスさせる（Ｍｉｘｉｎｇ）などの演出操作をする音楽演奏シミュレーションゲーム機であり、インジケーターという特定形態の電子楽譜を利用してゲーム者に演奏操作の時期を指示してくれて、ゲーム者は五つのボタンと一つのターンテーブルを利用して演奏を行って、ゲーム者の操作結果によって演奏音ウェーブと効果音ウェーブを合成して出力することだ。
【００１２】
しかし、このようなビットマニア（ＢｅａｔＭａｎｉａ）システムは、ゲーム者に演出操作の時期を指示してゲーム者が容易に音楽を演出できるようにする面で相当な効果があるということができるが、実際に”ＢｅａｔＭａｎｉａ”ゲーム用の曲をデザインする時ごとに、ゲーム者により選択される楽器別演奏ウェーブ（使用者の入力ウェーブ）全体と該当楽器を除外した残りの楽器らにより演奏になるウェーブ（背景音ウェーブ）全体をいちいち人為的に作ってあらかじめ保存しておかなければならないために、一般的に一つの曲に対するデザインを完成するためには専門的なミュージションらにより多くの時間と努力を投与しなければならない深刻な問題点があった。
【００１３】
また、このような方式としては多数の楽器別音標を区分して一度に作成することができないために、ゲーム者が選択できるように提供する楽器数程度上のような方式で楽器別演奏ウェーブ（使用者の入力ウェーブ）全体と背景音ウェーブ全体に対していちいちデザインしなければならない深刻な問題点が存在する。
【００１４】
そして、上のような過程をたどり作られた演奏ゲーム用の音楽ファイルが結果的にウェーブファイル形態であるゆえに、一旦一度作られたビットマニア（ＢｅａｔＭａｎｉａ）ゲーム用の曲を変更するためには上のような複雑な過程を新しく経る問題がある。
【００１５】
また、上のような過程をたどり作られた演奏ゲーム用の音楽ファイルがウェーブ形態で保存されるために、かりに圧縮をするにしても一曲当数ないし数十メガのファイルサイズになって、このような方大なデータを伝送させるのには多くの無理がしたがう。そして現在まで前記ビットマニア（ＢｅａｔＭａｎｉａ）ゲームがオフラインでだけ提供されているしかなかったし、かりにオンライン化するとしてもそういう方大なデータ量を減らすための方便としてやむを得ず音質をダウンさせなければならない技術的な限界を内包している。
【００１６】
そして、前記ビットマニア（ＢｅａｔＭａｎｉａ）ゲームのような従来の場合は、単一ゲームシステムに独立的に保存されているウェーブ形態の限定された曲だけを単純に演奏操作できるようにすることなので、根本的に多数の演奏者がネットワーク上でオンラインに合奏できる機能が全く支援になることができないだけでなく、チャットまたは順位評価などと同じオンラインサービスを全く提供出来ない問題点があった。
【００１７】
【課題を解決するための手段】
デジタル音楽ファイル（例えば、ミディ（ＭＩＤＩ）等）を楽器別に演奏指示及び演奏音の再生が可能であるように変換させた仮想オーケストラシステム（ＶＯＳ）ファイルを利用して、ネットワーク上で独奏または独奏／独唱し、または多数の遠隔の使用者と合奏または合奏／合唱できるようにするネットワーク基盤の音楽演奏／歌の伴奏サービスシステム及びその方法と、前記方法を実現させるためのプログラムを記録したコンピュータで読むことができる記録媒体を提供するのにその目的がある。
【００１８】
また、会員らのあいだのチャットを通したチーム別の合同演奏及び順位サービス（個人別またはチーム別）を通じて多様なイベントを提供するのに他の目的がある。
【００１９】
本発明の音楽演奏サービスシステムは、音楽演奏サービスシステムにおいて、音楽演奏ファイル、音楽演奏サービスプログラム、多数の使用者が該当音楽を演奏できる機能を提供する音楽演奏サービス提供手段；及び前記音楽演奏サービス提供手段と情報通信網を通じて連結して、前記音楽演奏ファイル、前記音楽演奏サービスプログラムをダウンロード受けて、該当音楽を演奏する少なくとも一つの音楽演奏遂行手段を含んでなることを特徴とする。
【００２０】
前記目的を達成するための本発明の音楽演奏サービスサーバーは、インターネットなどと同じ情報通信網を通じて音楽演奏サービスを提供するサーバーにおいて、音楽演奏サービスプログラムを保存して、サービス制御手段の要請によって該当音楽演奏サービスプログラムを前記サービス制御手段に提供するプログラム貯蔵手段；音楽演奏ファイルをジャンル別に分類して保存して、少なくとも一つの音楽演奏遂行手段により要請になった該当音楽演奏ファイルを前記サービス制御手段に提供する音楽ファイル貯蔵手段；前記情報通信網を通じて前記少なくとも一つの音楽演奏遂行手段と連結して、前記音楽演奏ファイル、前記音楽演奏サービスプログラムを前記少なくとも一つの音楽演奏遂行手段に送信する第１ネットワーク連結手段；音楽演奏サービスを制御して、前記少なくとも一つの音楽演奏遂行手段で要求する該当音楽演奏ファイル、該当音楽演奏サービスプログラムを前記第１ネットワーク連結手段に伝達する前記サービス制御手段；及び前記少なくとも一つの音楽演奏遂行手段の情報と前記ファイル貯蔵手段に保存された音楽演奏ファイル情報、該当音楽に対する楽器別の達成度を保存する貯蔵手段を含んでなることを特徴とする。
【００２１】
また、音楽演奏サービスサーバーは、前記情報通信網を通じて前記少なくとも一つの音楽演奏遂行手段が所望の該当音楽及び該当音楽を演奏する楽器を選択して合奏を遂行することができる環境を提供して、個人演奏データを総合して総合演奏データを発生する多重合奏手段を一層含んでなることを特徴とする。
【００２２】
前記目的を達成するための本発明の音楽演奏端末機は、音楽演奏サービスを提供する音楽演奏端末機において、情報通信網を通じて音楽演奏サービス提供手段と連結して、前記音楽演奏サービス提供手段から音楽演奏ファイル、音楽演奏サービスプログラムを受信する第１ネットワーク連結手段；前記第１ネットワーク連結手段を通じて受信された前記音楽演奏ファイルを供給するための音楽ファイル供給手段；前記音楽演奏ファイル中該当音楽を演奏する楽器に対する各音標を、演奏順序を表した電子楽譜で表示するための画面表示手段；前記画面表示手段に表示された前記電子楽譜の各音標に対する演奏順序にともなう使用者からの演奏操作を入力受けるための少なくとも一つの入力手段；前記第１ネットワーク連結手段を通じて受信された前記音楽演奏サービスプログラムが設置されて遂行になって、前記音楽演奏ファイルを保存して、前記音楽演奏ファイル中該当音楽を演奏する楽器に対する各音標を、演奏順序を表した前記電子楽譜として変換して前記画面表示手段に提供して、前記少なくとも一つの入力手段により演奏操作になった指定音と該当音楽中で指定音以外の背景音とを出力するための音楽演奏処理手段；前記音楽演奏処理手段から提供された指定音と背景音とを合成して該当音楽を演奏するための音楽演奏手段；及び前記音楽演奏手段により演奏になる該当音楽を出力するための出力手段とを含んでなることを特徴とする。
【００２３】
前記目的を達成するための歌の伴奏サービスシステムは、歌の伴奏サービスシステムにおいて、歌の伴奏ファイル、歌の伴奏サービスプログラム、多数の使用者が該当音楽を歌うことができる機能を提供する歌の伴奏サービス提供手段；及び前記歌の伴奏サービス提供手段と情報通信網を通じて連結して、前記歌の伴奏ファイル、前記歌の伴奏サービスプログラムをダウンロード受けて、該当音楽を歌うことができる機能を提供する少なくとも一つの歌遂行手段を含んでなることを特徴とする。
【００２４】
前記目的を達成するための本発明の歌の伴奏サービスサーバーは、インターネットなどのような情報通信網を通じて歌の伴奏サービスを提供するサーバーにおいて、歌の伴奏サービスプログラムを保存して、サービス制御手段の要請によって該当歌の伴奏サービスプログラムを前記サービス制御手段に提供するプログラム貯蔵手段；歌の伴奏ファイルをジャンル別に分類して保存して、少なくとも一つの歌遂行手段により要請になった該当歌の伴奏ファイルを前記サービス制御手段に提供する音楽ファイル貯蔵手段；前記情報通信網を通じて前記少なくとも一つの歌遂行手段と連結になり、前記歌の伴奏ファイル、前記歌の伴奏サービスプログラムを前記少なくとも一つの歌遂行手段に送信する第１ネットワーク連結手段；歌の伴奏サービスを制御して、前記少なくとも一つの歌遂行手段で要求する該当歌の伴奏ファイル、該当歌の伴奏サービスプログラムを前記第１ネットワーク連結手段に伝達する前記サービス制御手段；及び前記少なくとも一つの歌遂行手段の情報と前記ファイル貯蔵手段に保存された歌の伴奏ファイル情報、該当音楽に対する個人別独唱の達成度を保存する貯蔵手段とを含んでなることを特徴とする。
【００２５】
また、歌の伴奏サービスサーバーは前記情報通信網を通じて前記少なくとも一つの歌遂行手段が所望の該当音楽を合唱できるように合唱環境を提供して、個人の歌データを総合して総合歌データを発生する多重合唱手段をもっとも含んでなることを特徴とする。
【００２６】
前記目的を達成するための本発明の歌の伴奏端末機は、歌の伴奏サービスを提供する歌の伴奏端末機において、情報通信網を通じて歌の伴奏サービス提供手段と連結して、前記歌の伴奏サービス提供手段から歌の伴奏ファイル、歌の伴奏サービスプログラムを受信する第１ネットワーク連結手段；前記第１ネットワーク連結手段を通じて受信された前記歌の伴奏ファイルを供給するための音楽ファイル供給手段；前記歌の伴奏ファイル中で該当音楽に対する歌詞と歌の順序を表示するための画面表示手段；前記画面表示手段に表示された歌の順序にともなう使用者の音成を入力受けるための使用者入力手段；前記第１ネットワーク連結手段を通じて受信された前記歌の伴奏サービスプログラムが設置されて遂行になって、前記歌の伴奏ファイルを保存して、前記歌の伴奏ファイル中で歌詞と歌の順序を前記画面表示手段に提供して前記使用者入力手段により入力された使用者の音声と該当音楽中で使用者の音声以外の伴奏音を出力するための歌の伴奏処理手段；前記歌の伴奏処理手段から提供された使用者の音声と伴奏音を合成して該当音楽を演奏するための音楽演奏手段；及び前記音楽演奏手段により演奏になる該当音楽を出力するための出力手段を含んでなることを特徴とする。
【００２７】
前記目的を達成するための本発明の音楽演奏サービス方法は、インターネット、公衆電話網などのような情報通信網を通した音楽演奏サービス方法において、音楽演奏サービスサーバーが該当音楽に対して使用者の演奏順序と楽器別に音標が分割されて楽器別にタイミングによって演奏する音を表す音楽演奏ファイルを生成する第１ステップ；前記情報通信網を通じて音楽演奏サービスを受けようとする使用者の接続時に、使用者の認証過程を遂行する第２ステップ；前記第２ステップの認証結果によって、正当な使用者に限り前記音楽演奏サービスサーバーが前記情報通信網を通じて前記音楽演奏ファイル、音楽演奏サービスプログラムを音楽演奏端末機に提供する第３ステップ；及び前記第２ステップの認証結果によって、正当な使用者に限り前記音楽演奏サービスサーバーが前記情報通信網を通じて音楽演奏をサービスする第４ステップを含んでなることを特徴とする。
【００２８】
また、音楽演奏サービス方法は、前記第２ステップの認証結果によって、正当な使用者に限り前記音楽演奏サービスサーバーが使用者情報を照会及び変更処理する第５ステップをもっとも含んでなることを特徴とする。
【００２９】
前記目的を達成するための本発明の歌の伴奏サービス方法は、インターネット、公衆電話網などのような情報通信網を通した歌の伴奏サービス方法において、歌の伴奏サービスサーバーが該当音楽に対して使用者の演奏順序と楽器別に音標が分割されて楽器別にタイミングによって演奏する音を表す音楽演奏ファイルを生成して、前記音楽演奏ファイルに歌詞と拍子シンク（Ｓｙｎｃ）部分を挿入して前記該当音楽に対する歌詞と使用者の歌の順序、その他伴奏音を表す歌の伴奏音楽ファイルを生成する第１ステップ；前記情報通信網を通じて歌の伴奏サービスを受けようとする使用者の接続時に、使用者の認証過程を遂行する第２ステップ；前記第２ステップの認証結果によって、正当な使用者に限り前記歌の伴奏サービスサーバーが前記情報通信網を通じて前記歌の伴奏ファイル、歌の伴奏サービスプログラムを歌の伴奏端末機に提供する第３ステップ；及び前記第２ステップの認証結果によって、正当な使用者に限り前記歌の伴奏サービスサーバーが前記情報通信網を通じて歌の伴奏をサービスする第４ステップとを含んでなることを特徴とする。
【００３０】
また、歌の伴奏サービス方法は、前記第２ステップの認証結果によって、正当な使用者に限り前記歌の伴奏サービスサーバーが使用者情報を照会及び変更処理する第５ステップをもっとも含んでなることを特徴とする。
【００３１】
前記目的を達成するための本発明の第１記録媒体は、プロセッサーを具備した音楽演奏サービスシステムに、音楽演奏サービスサーバーが該当音楽に対して使用者の演奏順序と楽器別に音標が分割されて楽器別にタイミングによって演奏する音を表す音楽演奏ファイルを生成する第１機能；情報通信網を通じて音楽演奏サービスを受けようとする使用者の接続時に、使用者の認証過程を遂行する第２機能；前記第２機能の認証結果によって、正当な使用者に限り前記音楽演奏サービスサーバーが前記情報通信網を通じて前記音楽演奏ファイル、音楽演奏サービスプログラムを音楽演奏端末機に提供する第３機能；及び前記第２機能の認証結果によって、正当な使用者に限り前記音楽演奏サービスサーバーが前記情報通信網を通じて音楽演奏をサービスする第４機能を実現させるためのプログラムを記録したコンピュータで読むことができる記録媒体を提供する。
【００３２】
また、第１記録媒体は前記第２機能の認証結果によって、正当な使用者に限り前記音楽演奏サービスサーバーが使用者情報を照会及び変更処理する第５機能をより実現させるためのプログラムを記録したコンピュータで読むことができる記録媒体を提供する。
【００３３】
前記目的を達成するための本発明の第２記録媒体は、プロセッサーを具備した歌の伴奏サービスシステムに、歌の伴奏サービスサーバーが該当音楽に対して使用者の演奏順序と楽器別に音標が分割されて楽器別にタイミングによって演奏する音を表す音楽演奏ファイルを生成して、前記音楽演奏ファイルに歌詞と拍子シンク（Ｓｙｎｃ）部分を挿入して前記該当音楽に対する歌詞と使用者の歌の順序、その他伴奏音を表す歌の伴奏音楽ファイルを生成する第１機能；情報通信網を通じて歌の伴奏サービスを受けようとする使用者の接続時に、使用者の認証過程を遂行する第２機能；前記第２機能の認証結果によって、正当な使用者に限り前記歌の伴奏サービスサーバーが前記情報通信網を通じて前記歌の伴奏ファイル、歌の伴奏サービスプログラムを歌の伴奏端末機に提供する第３機能；及び前記第２機能の認証結果によって、正当な使用者に限り前記歌の伴奏サービスサーバーが前記情報通信網を通じて歌の伴奏をサービスする第４機能を実現させるためのプログラムを記録したコンピュータで読むことができる記録媒体を提供する。
【００３４】
また、第２記録媒体は、前記第２機能の認証結果によって、正当な使用者に限り前記歌の伴奏サービスサーバーが使用者情報を照会及び変更処理する第５機能をより実現させるためのプログラムを記録したコンピュータで読むことができる記録媒体を提供する。
【００３５】
すなわち、本発明はデジタル音楽ファイル（例えば、ミディ（ＭＩＤＩ）等）を楽器別に演奏指示及び演奏音再生が可能に変換させた仮想オーケストラシステム（ＶＯＳ）ファイルを利用してサーバー側で近距離通信網（ＬＡＮ）、イントラネット、付加価値通信網（ＶＡＮ）、インターネット、または公衆電話網（ＰＳＴＮ）などのような情報通信網を通じて前記ＶＯＳファイルを提供し、または本発明にかかる仮想オーケストラシステム（ＶＯＳ）ファイル変換プログラムを前記ネットワークを通じてそれぞれの会員クライアント端末側に提供して、少なくとも一つのクライアント端末側で使用者があらかじめ指定した楽曲及びそれぞれの楽器別に演奏指示データらが提供されているようにしてそれに沿い実際演奏になった楽器音を再生させることによって独奏または合奏が演出になるようにする（この時未指定になった残りの楽器等の演奏音は黙音処理され、または背景音として提供されることもできること）。
【００３６】
また前記演奏指示データの提供時、演奏指示データと同期させた歌詞データを提供して共にディスプレイされるようにすることによって前記少なくとも一つのクライアント端末側の使用者が独唱／独奏し、または合唱／合奏できるようにする。
【００３７】
そうして、本発明はネットワークを通じてカラオケサービスをカラオケのような物理的事業空間だけでなく家庭でも事務室などでもカラオケサービスを受けることができるようにして、実際楽器を上手に扱うことができない一般人を含んだ大衆が所望の曲を所望の楽器でやさしくてかつおもしろく演奏できるようにする。
【００３８】
また、高価格の楽器、実際スタジオのような設備を揃えた共同の空間なし多数の同好人などがネットワークを通じて仮想のボーカルスタジオを構成して多様な楽器を合奏できるようにする。
【００３９】
また、仮想オーケストラシステム（ＶＯＳ）ファイル変換プログラムを前記ネットワークを通じてそれぞれの会員クライアント端末側からダウンロードして音楽的な専門性が不足した一般人等も所望の曲を容易に作ることができるようにする（以下、直接シークエンシングという）。
【００４０】
上のようで、本発明はインターネットなどのような情報通信網を利用して一人または多くの人がそれぞれの楽器を選択して画面に表示される電子楽譜を見ながら音楽を演奏（独奏または合奏）し、または独奏及び独唱または合奏及び合唱が可能であるように支援することである。このために、本発明はデジタル音楽のミディファイルをソースとし、または直接シークエンシングして各使用者別に演奏しなければならない電子楽譜をファイル形態として整理しておいたＶＯＳフォーマットを作って、カラオケサービス利用者にはＶＯＳ音楽ファイルに歌詞と拍子シンク（Ｓｙｎｃ）部分を挿入して提供して、楽器を演奏する使用者にはその楽器に該当する電子楽譜をリアルタイムに画面に見せれば、使用者が一人または多くの人が独唱及び合唱し、または電子形態の電子楽譜を見て音楽を演奏（独奏／合奏）できる。
【００４１】
本発明の望ましい実施例では公知のデジタル音楽ファイルのＭＩＤＩファイルを仮想オーケストラシステム（ＶＯＳ）音楽ファイルに変換して利用することを詳細に紹介する。
【００４２】
また、歌の伴奏（カラオケ）ファイルとしては前記ＶＯＳ音楽ファイルに歌詞と拍子同期信号（Ｓｙｎｃ。）などを付加的に挿入したことを利用して、演出音楽に対する演奏順序と共に歌詞が順次的に提供されているようにする。
【００４３】
【実施例】
図１は本発明にかかる音楽演奏／歌の伴奏サービスシステムの一実施例の構成図である。
【００４４】
図１に示すように、本発明の一実施例にかかる音楽演奏／歌の伴奏サービスシステムは、音楽に対する使用者の演奏順序と楽器別に音標が分割されて、楽器別にタイミングによって演奏する音を表すＶＯＳ音楽ファイル、ＶＯＳ音楽ファイルに歌詞と拍子Ｓｙｎｃ部分を挿入して音楽に対する歌詞と使用者の歌の順序、その他伴奏音を表す歌の伴奏（カラオケ）音楽ファイル、音楽演奏／歌の伴奏サービスプログラム及び多数の使用者が合唱／合奏を遂行することができる機能を提供する音楽演奏／歌の伴奏サービス主サーバー１０と、前記音楽演奏／歌の伴奏サービス主サーバー１０と公衆電話網またはインターネットなどのような情報通信網を通じて連結して、ＶＯＳ音楽ファイル及び歌の伴奏（カラオケ）音楽ファイル、音楽演奏／歌の伴奏サービスプログラムをダウンロードしてインストール及び保存して個人の独唱／独奏または多数の使用者と共に合唱／合奏を遂行する使用者コンピュータ１１を含む。
【００４５】
添付された図２は本発明にかかる音楽演奏／歌の伴奏サービスシステムの他の実施例の構成図である。
【００４６】
図２に示すように、本発明の他の実施例にかかる音楽演奏／歌の伴奏サービスシステムは、音楽に対する使用者の演奏順序と楽器別に音標が分割されて、楽器別にタイミングによって演奏する音を表すＶＯＳ音楽ファイル、ＶＯＳ音楽ファイルに歌詞と拍子（Ｓｙｎｃ）部分を挿入して音楽に対する歌詞と使用者の歌の順序、その他伴奏音を表す歌の伴奏（カラオケ）音楽ファイル、音楽演奏／歌の伴奏サービスプログラム及び多数の使用者が共に合唱／合奏を遂行することができる機能を提供する音楽演奏／歌の伴奏サービス主サーバー１０と、インターネットなどのような情報通信網を通じて連結した音楽演奏／歌の伴奏サービス週サーバー１０からＶＯＳ音楽ファイル、歌の伴奏（カラオケ）音楽ファイル、そして音楽演奏／歌の伴奏サービスプログラムを提供受けて個人または多数の使用者が共に合唱／合奏を遂行することができる機能を遂行して他の音楽演奏／歌の伴奏地域サーバー２０とインターネットなどのような情報通信網を通じて連結して合唱／合奏機能を提供する音楽演奏／歌の伴奏サービス地域サーバー２０と、音楽演奏／歌の伴奏サービス地域サーバー２０にインターネットなどのような情報通信網を通じて連結してＶＯＳ音楽ファイル及び歌の伴奏（カラオケ）音楽ファイル、音楽演奏／歌の伴奏徐ビスプログラムをダウンロードしてインストール及び保存して音楽演奏／歌の伴奏サービス地域サーバー２０に連結した多数の使用者または他の音楽演奏／歌の伴奏サービス地域サーバー２０に連結した多数の使用者との合唱／合奏または個人独唱／独奏を遂行する使用者コンピュータ１１を含む。
【００４７】
一つの音楽演奏／歌の伴奏サービス地域サーバー２０にはインターネットを通じて連結した多数の使用者が合唱曲／合奏曲を選択して合唱／合奏を遂行することができて、多数の音楽演奏／歌の伴奏サービス地域サーバー２０に連結した使用者らとも共に合唱／合奏を遂行することができる。
【００４８】
例えば、先に説明した図１及び図２でネットワークがインターネットの場合、本発明はインターネットでＬＡＮで構築された通信網間に使われるネットワークプロトコルの一種としてコンピュータの機種に関係なくお互い他のシステムを使用する環境で情報交換が容易に提供された公知のＴＣＰ／ＩＰ（Ｔｒａｎｓｍｉｓｓｉｏｎ Ｃｏｎｔｒｏｌ Ｐｒｏｔｏｃｏｌ／Ｉｎｔｅｒｎｅｔ Ｐｒｏｔｏｃｏｌ）技術を利用し、またはＬＡＮ内での相互データ伝送のための公知のＩＰＸ（Ｉｎｔｅｒｎｅｔ Ｐａｃｋｅｔ ｅＸｃｈａｎｇｅ）（またはＩＰＸ／ＳＰＸ（Ｓｅｑｕｅｎｃｅ Ｐａｃｋｅｔ ｅＸｃｈａｎｇｅ）と称することもする）プロトコルを応用して後述で詳細に説明されるＶＯＳ音楽ファイルを提供することによって、遠隔地間または限定された地域間の利用者（会員）らがチャットなどを通じて一つの演奏曲に対して各自の演奏する楽器を指定して合奏または合奏／合唱が可能にようにすることである。
【００４９】
図３は前記図１及び図２の使用者コンピュータの一実施例の細部構成図である。
【００５０】
図３に示すように、音楽演奏／歌の伴奏サービスのための使用者コンピュータ１１は、音楽演奏／歌の伴奏サービス主サーバー１０または音楽演奏／歌の伴奏サービス地域サーバー２０とインターネットまたは公衆電話網などのようなネットワークを通じて使用者コンピュータ１１を連結させて、ＶＯＳ音楽ファイル、歌の伴奏（カラオケ）音楽ファイル、音楽演奏／歌の伴奏サービスプログラム及び各種情報を送受信するインターネットまたは公衆電話網連結装置３０と、インターネットまたは公衆電話網連結装置３０を通じて受信されたＶＯＳ音楽ファイル及び歌の伴奏（カラオケ）音楽ファイルから音楽に対する使用者の演奏順序と楽器別に音標が分割されて楽器別にタイミングによって演奏する音を表すＶＯＳ音楽ファイル、ＶＯＳ音楽ファイルに歌詞と拍子Ｓｙｎｃ部分を挿入して音楽に対する歌詞と使用者の歌の順序、その他伴奏音を表す歌の伴奏（カラオケ）音楽ファイルを提供するための音楽演奏／歌の伴奏音楽ファイル供給装置３１と、歌の伴奏音楽ファイル中で歌詞と歌の順序を表示し、またはＶＯＳ音楽ファイル中で該当音楽の各音標を演奏順序を表した電子楽譜に表示するための画面表示装置３４と、画面表示装置３４に表示された歌の順序にともなう使用者の音声を入力受け、または電子楽譜の各音標に対する演奏順序にともなう使用者からの演奏操作を入力受けるための入力装置（マイクあるいはキーボード等）３３と、歌の伴奏音楽ファイルとＶＯＳ音楽ファイルを保存して、歌の伴奏ファイル中で歌詞と歌の順序を画面表示装置３４に提供し、またはＶＯＳ音楽ファイル中で該当音楽を演奏する楽器に対する各音標を演奏順序を表した電子楽譜に変換して画面表示装置３４に提供して、入力装置（マイク）３３により入力された使用者の音声と該当音楽中で使用者の音声以外の伴奏音を出力し、または入力装置（キーボード等）１１により演奏操作になった指定音と該当音楽中で指定音以外の背景音を出力するための音楽演奏／歌の伴奏処理処置３２と、音楽演奏／歌の伴奏処理処置３２から提供された使用者の音声と伴奏音を合成し、または指定音と背景音を合成して該当音楽を演奏するための音楽出力装置３５と、音楽出力装置３５により演奏になる該当音楽を出力するためのスピーカー３６を含む。
【００５１】
入力装置３３は使用者の入力を受けることができる装置として、キーボード（ｋｅｙｂｏａｒｄ）、マウス（ｍｏｕｓｅ）、ミディ楽器（ｍｉｄｉ  ｉｎｓｔｒｕｍｅｎｔ）、ジョイパッド（ｊｏｙｐａｄ）及び模擬楽器（すなわち、鍵盤楽器、弦楽器、打楽器及び管楽器等）などが使われて、画面表示装置３４に表示された電子楽譜の各音標に対する演奏順序にともなう使用者からの演奏操作を入力される。
【００５２】
画面表示装置３４は歌の伴奏ファイル中で歌詞と歌の順序を見せ、またはＶＯＳ音楽ファイルを使用者に電子楽譜の形態で見てくれることができる画面として、モニター、液晶（ＬＣＤ）画面、スクリーン（ｓｃｒｅｅｎ）及びＴＶなどが使われる。
【００５３】
音楽演奏／歌の伴奏処理処置３２は、Ｗｉｎｄｏｗｓ環境、セットトップボックス、ゲーム機、カラオケ機器などを利用して音楽演奏／歌の伴奏音楽ファイル供給装置３１から供給になるＶＯＳ音楽ファイル、歌の伴奏（カラオケ）音楽ファイルをロードして保存して、歌の伴奏ファイル中で歌詞と歌の順序を画面表示装置３４に提供し、またはＶＯＳ音楽ファイル中で該当音楽を演奏する楽器に対する各音標を演奏順序を表す電子楽譜に変換して画面表示装置３４に提供して、使用者の入力を受けて処理して、入力装置（マイク）３３により入力された使用者の音声と該当音楽中で使用者の音声以外の伴奏音と、入力装置（キーボード等）１１により演奏操作になった指定音と該当音楽中で指定音以外の背景音を音楽出力装置３５に出力する。
【００５４】
音楽演奏／歌の伴奏音楽ファイル供給装置３１は電算網（Ｎｅｔｗｏｒｋ Ｌｉｎｅ）、ハードディスク（Ｈａｒｄ  Ｄｉｓｋ）、ＣＤ−ＲＯＭ（ＣＤ−ＲＯＭ）などを利用して歌の伴奏及び音楽演奏サービスに必要な歌の伴奏（カラオケ）音楽ファイル、ＶＯＳ音楽ファイルを供給する装置である。
【００５５】
ここで、ＶＯＳ音楽ファイルは音楽に対する使用者の演奏順序と楽器別に音標が分割されて楽器別にタイミングによって演奏する音を表すことで、このような分割技術は下記でより詳細に後述するようにする。
【００５６】
ただし、このようなＶＯＳ音楽ファイルは自身が使用しているターミナルでない他の外部のソースから電算網を通じて供給を受ける場合に、例えばネットワークで連結したホストから供給を受け、または衛星網及びセットトップボックスを通じて受信受けて読み込むことができる。
【００５７】
一方、歌の伴奏（カラオケ）音楽ファイルはＶＯＳ音楽ファイルに歌詞と拍子Ｓｙｎｃ部分を挿入して音楽に対する歌詞と使用者の歌の順序、その他伴奏音を表す。
【００５８】
音楽出力装置３５はミディモジュール（Ｍｉｄｉ  Ｍｏｄｕｌｅ）、ソフトウェアミディ（Ｓｏｆｔｗａｒｅ  Ｍｉｄｉ）、周波数変調シンセサイザー（ＦＭ  Ｓｙｎｔｈｅｓｉｚｅｒ）などを利用して音楽演奏／歌の伴奏処理処置３２から提供された使用者の音声と伴奏音を合成し、またはミディ出力メッセージ（すなわち、指定音、背景音）を合成して該当音楽を演奏する。
【００５９】
図４は前記図１及び図２の音楽演奏／歌の伴奏サービスサーバーの一実施例の細部構成図である。
【００６０】
図４に示すように、本発明にかかる音楽演奏／歌の伴奏サービスのための音楽演奏／歌の伴奏サービスサーバー１０、２０は多数の使用者コンピュータ１１とインターネットまたは公衆電話網などのような情報通信網を通じて連結して、使用者コンピュータ１１から発生する歌（独唱／合唱）データあるいは演奏（独奏／合奏）データを受信して、使用者コンピュータ１１に音楽に対する使用者の演奏順序と楽器別に音標が分割されて楽器別にタイミングによって演奏する音を表すＶＯＳ音楽ファイル、ＶＯＳ音楽ファイルに歌詞と拍子Ｓｙｎｃ部分を挿入して音楽に対する歌詞と使用者の歌の順序、その他伴奏音を表す歌の伴奏（カラオケ）音楽ファイル、音楽演奏／歌の伴奏サービスプログラムまたは合唱／合奏を遂行する他の使用者の歌／演奏データを伝送するネットワーク連結装置４１と、ネットワーク連結装置４１から使用者の歌／演奏データ、歌の伴奏（カラオケ）音楽ファイル、ＶＯＳ音楽ファイルまたは音楽演奏／歌の伴奏サービスプログラムを伝達受けてサービスを制御するサービス制御装置４２と、音楽演奏／歌の伴奏サービスプログラムを保存してサービス制御装置４２の要請によって該当音楽演奏／歌の伴奏サービスプログラムを提供するソフトウェア貯蔵装置４３と、歌の伴奏（カラオケ）音楽ファイル及びＶＯＳ音楽ファイルをジャンル別に分類して保存して、使用者の要請によって該当音楽ファイルを前記サービス制御装置４２及びネットワーク連結装置４１を通じて使用者コンピュータ１１に提供する音楽ファイル貯蔵装置４４と、インターネットなどのような情報通信網を通じて連結した合唱／合奏を所望の多数の遠隔ユーザーの望む音楽及び演奏する楽器を選択して合唱／合奏を遂行することができる環境を提供して、該当音楽を歌／演奏する各使用者の歌／演奏データを使用者らに伝送する多重合唱／合奏装置４５と、音楽演奏／歌の伴奏サービスサーバー１０、２０に加入した使用者の個人情報と音楽ファイル貯蔵装置４４に保存されている音楽ファイル情報及び該当音楽に対する達成度（歌の場合には点数で表すとか、非常に優秀、優秀、普通、未逹等、演奏の場合には楽器別の達成度及び合奏の達成度）情報を保存しているデータベース４６を含む。
【００６１】
以上のように音楽演奏ファイルは仮想オーケストラシステム（ＶＯＳ）音楽ファイルを利用して、歌の伴奏（カラオケ）ファイルはこのようなＶＯＳ音楽ファイルに歌詞と拍子Ｓｙｎｃ部分を挿入したこととして音楽に対する歌詞と使用者の歌の順序、その他伴奏音を表す。
【００６２】
一方、必要によっては上のように演出になる演奏音中で利用者の操作による実際の演奏音以外の背景音を黙音処理して演奏状態をもう少し明確に確認できるようにすることができる。
【００６３】
これから、音楽演奏／歌の伴奏サービスサーバー１０、２０でＶＯＳ音楽ファイルを製作する過程をより詳細に説明する。
【００６４】
図５は本発明にかかる音楽演奏／歌の伴奏サービスのためのＶＯＳ音楽ファイル製作過程に対する一実施例のフロー図として、楽器別の音標分割及び貯蔵手順を表すのである。
【００６５】
そして図６はデルタ時間と絶対時間との意味を理解しやすく説明するための図面であり、図７は本発明によってＭＩＤＩファイルのデルタ時間情報を絶対時間に変換する過程を例示したフロー図である。
【００６６】
図５に示すように、音楽演奏／歌の伴奏サービスサーバー１０、２０でのＶＯＳファイル製作過程は、まずＭＩＤＩフォーマットとして作られた音楽ファイルに保存されている曲メッセージらから必要な情報を得るためにＭＩＤＩメッセージをタイプ別に分離してメモリ上に積載する５０１。
【００６７】
参考に、この時のメッセージタイプは大きくコントロールメッセージ（例えば、ボリュームメッセージ、効果等）、演奏メッセージ、楽器設定メッセージ等で区分できるのに、ＭＩＤＩファイルではこのようなあらゆるメッセージらに対するタイムドメインがデルタ時間に定義になっている。
【００６８】
ここでデルタ時間とはあらゆるメッセージらに対する時間情報が直前時間情報との差（間隔）値に定義したことを意味する（図６参照）。
【００６９】
本発明のＶＯＳファイルを製作するにあっては、仮想オーケストラ演奏が可能なようにするためにこのようにデルタ時間に定義になっているＭＩＤＩフォーマットメッセージ情報らが絶対時間に定義されるように変換する作業を遂行する５０２。
【００７０】
先に言及したデルタ時間と絶対時間との意味は図６に例示になった演奏メッセージの時間情報表示から容易に理解することができる。すなわち図６で各演奏メッセージの左側に表記になった時間情報がデルタ時間で、その右側に表記になった時間情報が絶対時間である。
【００７１】
また、上のようでデルタ時間を絶対時間に変換する過程は図７のフロー図から容易に理解することができる。すなわち、最初デルタ時間値（通例的に”０”である）を絶対時間の初期値に設定する等の初期化過程遂行１２１後、未変換になったデルタ時間情報を持つメッセージが存在しているか判断して１２３、存在すれば直前の絶対時間値に現在の変換対象メッセージデルタ時間値を足した値が現在の変換対象メッセージの絶対時間値になるように定めてから１２５、未変換になったデルタ時間情報を持つメッセージがこれ以上存在しない時まで前記判断するステップ１２３から反復的に遂行することによって、ＭＩＤＩフォーマットメッセージ等のデルタ時間情報を絶対時間に変換させることである。
【００７２】
そうしてから、使用者が演奏するノートメッセージらを構成するのに、例えば、使用者が特定楽器の一つだけを演奏するように構成し、または時間帯によって楽器を変更しながら演奏するようにする事もでき、多数の使用者が一度に多数の楽器を演奏するように構成したＶＯＳファイルを生成することもできる。
【００７３】
また、場合によってはあたかもミディ楽器のように全オクターブを演奏できる演奏操作入力装置を具備して特別に単純化などの変更を加えないで演奏するようにする必要もあるだろうが、専門音楽家ではなければそういう演奏自体がほとんど不可能なので非専門家らが特定の楽器を長い間の期間の演習なくても容易に演奏できるようにするために複雑な演奏手順を単純化させる必要もあることができて、または逆に熟練になった専門家らを対象とする場合にはむしろ正常な演奏手順より一層複雑な操作により演奏家されるように楽譜を複雑化させる過程を必要とすることができる５０３。
【００７４】
例として、図８及び図９を参照して、楽譜を単純化する場合を説明すれば次の通りである。
【００７５】
図８を参照すれば、音標でオクターブをなくすことによってあらゆる音標らが一オクターブに帰属になるようにすることができる（１１ａ及び１１ｂのｇ参照）。また、音標で半音を全音に位置させることができる（１１ａ及び１１ｂのｅ参照）。このような過程を通じて元の曲の楽譜１１ａを新しい形態の電子楽譜１１ｂに単純化させることができる５０４。しかし実際にはこのような電子楽譜１１ｂが使用者の演奏操作時に正確な演奏音を再生するための元曲の情報と、単純化になった演奏指示を表示するための情報を共にもっている。
【００７６】
また、上のような過程を通じて新しく生成された電子楽譜１１ｂで、必要とした場合には、追加的に音標の配置変更でも、演奏対象になる音標削除などの修正を加えることができる５０５。例えば、図１６のように、編集機を利用して音標を削除して難易度を調整することができることである。
【００７７】
一方、元曲自体に演奏操作が必要ない遊休時間を持っている場合や、または上のような配置変更または音標削除などの修正が加えられた電子楽譜１１ｂなどでは、必要によって付加的に広告情報（すなわち、特定企業、商品、曲などを対象とする広報目的の文章、イメージ、サウンドクリップ）を挿入できる時間を確保することができる。このような場合には各広告情報と共に該当広告情報の表出時間に対する情報を指定することによって５０６、演奏のソースになるＶＯＳファイルに含めておいてその有用性を増進させることができる。
【００７８】
上のような過程を通じて最終的にＶＯＳファイルが生成されることである５０７。
【００７９】
これから、図１０は本発明にかかる音楽演奏／歌の伴奏サービス方法に対する一実施例の全体フロー図である。
【００８０】
図１０に示すように、本発明にかかる音楽演奏／歌の伴奏サービス方法は、まず使用者が一般的な使用者の認証過程を通じて音楽演奏／歌の伴奏サービス主サーバー１０に接続して８０１、音楽演奏／歌の伴奏サービス主サーバー１０で実行モードを選択する８０２。
【００８１】
実行モード選択結果、音楽演奏／歌の伴奏サービスプログラム、音楽に対する使用者の演奏順序と楽器別に音標が分割されて楽器別にタイミングによって演奏する音を表すＶＯＳ音楽ファイル、ＶＯＳ音楽ファイルに歌詞と拍子Ｓｙｎｃ部分を挿入して音楽に対する歌詞と使用者の歌の順序、その他伴奏音を表す歌の伴奏（カラオケ）音楽ファイルをダウンロードしようとする場合に、音楽演奏／歌の伴奏サービス主サーバー１０のソフトウェア貯蔵装置４３及び音楽ファイル貯蔵装置４４で該当音楽演奏／歌の伴奏サービスプログラム、歌の伴奏（カラオケ）音楽ファイル、ＶＯＳ音楽ファイルをダウンロードして８０３、使用者コンピュータ１１で音楽演奏／歌の伴奏サービスプログラムを設置して８０４、他の作業を必要とするかを判断して８１０、他の作業を必要とすれば前記実行モードを選択する過程８０２を遂行して、他の作業が必要なければ終了する。
【００８２】
実行モード選択の結果、個人演奏（独奏）である場合に、音楽演奏／歌の伴奏サービス主サーバー１０または使用者コンピュータ１１で、個人演奏（独奏）を遂行して８０５、他の作業を必要とするかを判断する過程８１０を遂行する。
【００８３】
実行モード選択の結果、多くの人が共に演奏する合奏である場合に、音楽演奏／歌の伴奏サービス主サーバー１０との連結を保持した状態で、合奏を遂行して８０６、他の作業を必要とするかを判断する過程８１０を遂行する。
【００８４】
実行モード選択の結果、個人の独唱である場合に、音楽演奏／歌の伴奏サービス主サーバー１０または使用者コンピュータ１１で、個人の独唱を遂行して８０７、他の作業を必要とするかを判断する過程８１０を遂行する。
【００８５】
実行モード選択の結果、多くの人が共に歌を歌う合唱である場合に、音楽演奏／歌の伴奏サービス主サーバー１０との連結を保持した状態で、合唱を遂行して８０８、他の作業を必要とするかを判断する過程８１０を遂行する。
【００８６】
実行モード選択の結果、使用者の情報照会及び変更である場合に、音楽演奏／歌の伴奏サービス主サーバー１０に保存されている使用者の情報を照会及び変更して８０９、他の作業を必要とするかを判断する過程８１０を遂行する。
【００８７】
図１１は本発明にかかる音楽演奏／歌の伴奏サービス方法中で個人演奏遂行過程に対する一実施例の詳細フロー図である。
【００８８】
図１１に示すように、本発明にかかる音楽演奏／歌の伴奏サービス方法中で個人演奏の遂行過程８０５は、まず使用者は音楽演奏／歌の伴奏サービス主サーバー１０を通した個人演奏を遂行することかを判断する９０１。
【００８９】
判断結果、音楽演奏／歌の伴奏サービス主サーバー１０を通した個人演奏（独奏）ではなければ、使用者コンピュータ１１で該当演奏曲及び演奏する楽器を選択して９０２、使用者コンピュータ１１は画面表示装置３４を通じて電子楽譜をディスプレイする９０３。この時、曲の長さは一画面に見せることには比較的長い場合が多いので時間進行によって現在演奏しなければならない所の電子楽譜をスクロールしてみせる。このような電子楽譜の表示過程は図１６に図示されたことのようである。すなわち、Ａ部分の音標を電子楽譜で表現すればＢのようで変換になる。
【００９０】
以後、使用者が画面表示装置３４にディスプレイになった電子楽譜に沿って演奏を遂行すれば、この時使用者コンピュータ１１の音楽演奏／歌の伴奏処理処置３２は入力装置３３から使用者の演奏入力を受信して、演奏入力に背景音を合成して演奏音を出力する９０４。
【００９１】
演奏が完了した後、音楽演奏／歌の伴奏処理処置３２は使用者の該当音楽ファイルの楽器に対する達成度を画面表示装置３４に出力する９０５。
【００９２】
判断結果、音楽演奏／歌の伴奏サービス主サーバー１０を通した個人演奏（独奏）ならば、音楽演奏／歌の伴奏サービス主サーバー１０に保存されているＶＯＳ音楽ファイルで演奏する曲を選択して９０６、選択された曲が使用者コンピュータ１１に存在しているかを判断して９０７、存在しなければ選択された曲の該当するＶＯＳ音楽ファイルをダウンロードして９０８、存在すれば選択された曲で演奏する楽器を選択する９０９。
【００９３】
以後、使用者コンピュータ１１が画面表示装置３４を通じて電子楽譜をディスプレイして９１０、この時電子楽譜をディスプレイする過程もやはり上記の電子楽譜ディスプレイ過程９０３と同一で、使用者が画面表示装置３４にディスプレイになった電子楽譜に沿って演奏を遂行すれば、この時使用者コンピュータ１１の音楽演奏／歌の伴奏処理処置３２は入力装置３３から使用者の演奏入力を受信して、演奏入力に背景音を合成して演奏音を出力する９１１。
【００９４】
演奏が完了した後、音楽演奏／歌の伴奏処理装置３２は使用者の該当音楽ファイルの楽器に対する達成度を画面表示装置３４に出力する９１２。
【００９５】
最後に、インターネット及び公衆電話網連結装置３０を利用して演奏に関連した情報、例えば該当音楽ファイルの演奏点数などを音楽演奏／歌の伴奏サービス主サーバー１０のデータベース４６に保存して９１３、他の曲を演奏することかを判断して９１４、使用者が他の曲を演奏しようとすれば演奏する曲を選択する過程９０６を遂行して、他の曲を演奏しなければリターンされる。
【００９６】
前記使用者の演奏入力を受信して演奏音を出力する過程９０４、９１１をより詳細に注意深くみれば、画面表示装置３４にディスプレイになった電子楽譜によって使用者が入力装置３３を通じて演奏すれば、使用者が入力した演奏を音楽演奏／歌の伴奏処理装置３２で認識する。以後に、音楽演奏／歌の伴奏処理装置３２がリアルタイムに入力される使用者の入力キーに該当する音標（すなわち、指定音ミディ出力メッセージ）を音楽出力装置３５に出力して、使用者が演奏しない楽器に対しては自動に音標（すなわち、背景音ミディ出力メッセージ）を音楽出力装置３５に出力する。この時、単純化にならない電子楽譜の場合には、例えば実際ミディ楽器で演奏を進行している場合にその入力を単純化アルゴリズムを経なくて送りだす。一方、単純化になった電子楽譜の場合には現在最も近接した音標を出力する。
【００９７】
例えば、図１７に示すように演奏を始まったあと１００秒（ｃ）に”ド”キーを押さえた時元曲の９０秒の位置に”５オクターブのド”音（ｂ）があって元曲の１０５秒の位置に”６オクターブのド”音（ａ）がある時、使用者の入力に一層近い１０５秒の位置にあるノート（ａ音）を演奏する音標として決定する。次に、音楽出力装置３５で使用者が演奏した楽器の音標（ミディ出力メッセージ）に該当する音と、使用者が演奏しない音楽演奏／歌の伴奏処理処置３２により自動に演奏になった楽器の音標に該当する音をリアルタイムにミキシングしてスピーカー３６を通じて出力する。この時、使用者が元曲標準に比べてある程度の正確度で演奏を進行したのかに対する元曲１６ａに対応演奏になった曲１６ｂの達成度を図１８と共に見せることもできる。
【００９８】
図１２は本発明にかかる音楽演奏／歌の伴奏サービス方法中で合奏遂行過程に対する一実施例の詳細フロー図である。
【００９９】
図１２に示すように、本発明にかかる音楽演奏／歌の伴奏サービス方法中で合奏遂行過程８０６は、まず音楽演奏／歌の伴奏サービス主サーバー１０に接続した使用者が合奏をするための他の使用者と合奏する曲を協議して１０１、該当合奏曲が存在する音楽ジャンルを選択して１０２、該当合奏曲を選択する１０３。
【０１００】
合奏曲が選択されれば１０３、各使用者コンピュータ１１の音楽演奏／歌の伴奏処理装置３２は選択された曲が使用者コンピュータ１１に存在するかを判断して１０４、存在しなければ選択された曲が使用者コンピュータ１１に存在しない使用者は選択された合奏曲をダウンロードして１０５、存在すれば音楽演奏／歌の伴奏サービス主サーバー１０のサービス制御装置４２は選択された曲の選択可能な楽器リストを各使用者コンピュータ１１にディスプレイする１０６。
【０１０１】
以後、合奏を遂行する各使用者は楽器リストで自身が演奏する楽器を選択して１０７、合奏を遂行する各使用者の楽器選択情報が各使用者らに伝送される。
【０１０２】
そして、各使用者コンピュータ１１の画面表示装置３４に該当選択された曲の電子楽譜がディスプレイになって１０８、各使用者は自身が選択した楽器を演奏する１０９。この時、各使用者の演奏入力は使用者らが連結した音楽演奏／歌の伴奏サービス主サーバー１０を通じて他の使用者らに伝送になって、その結果は画面出力装置３３４出力される。
【０１０３】
次に、音楽演奏／歌の伴奏サービス主サーバー１０は合奏に参加した各使用者の演奏入力を総合して、達成度を計算して各使用者に伝送して１１０、合奏情報をデータベース４６に保存した後１１１、他の曲を演奏することかを判断して１１２、演奏しなければリターンし、演奏すれば他の使用者と合奏曲を協議する過程１０１を遂行する。
【０１０４】
このように、２人以上が音楽を演奏（合奏）する場合に、第１使用者が選択した楽器の指定音と第２使用者が選択した楽器の指定音に演奏しない楽器の指定音をリアルタイムにミキシングして、第１及び第２使用者にインターネットなどと同じ情報通信網を通じてお互い演奏する音を聞かせることでオーケストラ合奏が可能である。また、多くの人が音楽を演奏（合奏）する場合にも同じ方式でオーケストラ合奏が可能さは自明である。
【０１０５】
図１３は本発明にかかる音楽演奏／歌の伴奏サービス方法中で個人の独唱遂行過程に対する一実施例の詳細フロー図である。
【０１０６】
図１３に示すように、本発明にかかる音楽演奏／歌の伴奏サービス方法中で個人の独唱遂行過程８０７は、まず使用者は音楽演奏／歌の伴奏サービス主サーバー１０を通した個人の歌を遂行することかを判断する１２１。
【０１０７】
判断結果、音楽演奏／歌の伴奏サービス主サーバー１０を通した個人の歌（独唱）ではなければ、使用者コンピュータ１１で該当曲名を選択して１２２、使用者コンピュータ１１は画面表示装置３４を通じて歌詞をディスプレイする１２３。この時、歌詞には歌の順序（例えば、歌を歌わなければならない部分で歌詞が点滅し、または太い文字で表示される等）が共に表示される。そして、該当曲に対する伴奏音を出力する。
【０１０８】
以後、使用者が画面表示装置３４にディスプレイになった歌詞に沿って歌を歌えば、使用者コンピュータ１１の音楽演奏／歌の伴奏処理装置３２は入力装置３３から使用者の音声を入力されて使用者の音声に伴奏音を合成して歌を出力する１２４。
【０１０９】
歌（独唱）が完了した後、音楽演奏／歌の伴奏処理装置３２は使用者の歌の実力に対する達成度を画面表示装置３４に出力する１２５。
【０１１０】
判断結果、音楽演奏／歌の伴奏サービス主サーバー１０を通した個人の歌（独唱）ならば、音楽演奏／歌の伴奏サービス主サーバー１０に保存されている歌の伴奏（カラオケ）音楽ファイルで該当曲名を選択して１２６、選択された曲が使用者コンピュータ１１に存在しているかを判断して１２７、存在しなければ選択された曲の該当する歌の伴奏（カラオケ）音楽ファイルをダウンロードして１２８、存在すれば使用者コンピュータ１１の画面表示装置３４を通じて歌詞をディスプレイして１２９、使用者が画面表示装置３４にディスプレイになった歌詞に沿って歌を歌えば、使用者コンピュータ１１の音楽演奏／歌の伴奏処理装置３２は入力装置３３から使用者の音声を入力されて使用者の音声に伴奏音を合成して歌を出力する１３０。歌（独唱）が完了した後、音楽演奏／歌の伴奏処理装置３２は使用者の歌の実力に対する達成度（例えば、点数で表すとか、非常に優秀、優秀、普通、未逹等）を画面表示装置３４に出力する１３１。
【０１１１】
最後に、インターネット及び公衆電話網連結装置３０を利用して歌に関連した情報、例えば該当音楽ファイルの歌点数などを音楽演奏／歌の伴奏サービス主サーバー１０のデータベース４６に保存して１３２、他の曲を歌うことかを判断して１３３、使用者が他の曲を歌おうとすれば歌う曲を選択する過程１２６を遂行して、他の曲を演奏しなければリターンされる。
【０１１２】
音楽に対する歌詞と使用者の歌の順序、その他伴奏音を表す前記歌詞（カラオケ）音楽ファイルはＶＯＳ音楽ファイルに歌詞と拍子Ｓｙｎｃ部分を挿入して容易に具現可能である。
図１４は本発明にかかる音楽演奏／歌の伴奏サービス方法中で合唱遂行過程に対する一実施例の詳細フロー図である。
【０１１３】
図１４に示すように、本発明にかかる音楽演奏／歌の伴奏サービス方法中で合唱遂行過程８０８は、まず音楽演奏／歌の伴奏サービス主サーバー１０に接続した使用者が合唱をするための他の使用者と合唱する曲を協議して１４１、該当合唱曲が存在する音楽ジャンルを選択して１４２、共に呼ぶ合唱曲を選択する１４３。
【０１１４】
合唱曲が選択されれば１４３、各使用者コンピュータ１１の音楽演奏／歌の伴奏処理装置３２は選択された合唱曲が使用者コンピュータ１１に存在するかを判断して１４４、存在しなければ選択された合唱曲が使用者コンピュータ１１に存在しない使用者は選択された合唱曲をダウンロードして１４５、存在すれば音楽演奏／歌の伴奏サービス主サーバー１０のサービス制御装置４２が各使用者コンピュータ１１の画面表示装置３４に歌詞をディスプレイする１４６。
【０１１５】
以後、各使用者が画面表示装置３４にディスプレイされた歌詞に沿って歌を歌えば、各使用者の音声は使用者らが連結した音楽演奏／歌の伴奏サービス主サーバー１０を通じて他の使用者らに伝送になって、その結果は画面出力装置３４に出力される。この時、音楽演奏／歌の伴奏サービス主サーバー１０は合唱に参加した各使用者の音声を総合（すなわち、各使用者の音声を入力されて各使用者の音声に伴奏音を合成）して歌を出力して１４７、達成度を計算して各使用者に伝送して１４８、合唱情報をデータベース４６に保存した後１４９、他の曲を歌（合唱）するかを判断して１５０、合唱しなければリターンし、合唱すれば他の使用者と合唱曲を協議する過程１４１を遂行する。
【０１１６】
このように、２人以上が音楽を歌（合唱）する場合に、第１使用者の音声と第２使用の音声に伴奏音をリアルタイムにミキシングして、第１及び第２使用者にインターネットなどと同じ情報通信網を通じてお互い合唱する音を聞かせることでオーケストラ合唱が可能である。また、多くの人が音楽を歌（合唱）する場合にも同じ方式によりオーケストラ合唱が可能さは自明である。
【０１１７】
図１５は本発明にかかる音楽演奏サービス方法中で使用者の情報照会及び変更遂行過程に対する一実施例の詳細フロー図である。
【０１１８】
図１５に示すように、本発明にかかる音楽演奏サービス方法中で使用者の情報照会及び変更遂行過程８０９は、使用者の情報を照会することかを判断して１５１、使用者の情報照会ならば使用者の情報を使用者コンピュータ１１に伝送して使用者が自身の情報を照会できるように画面表示装置３４にディスプレイして１５２、使用者の情報照会ではない情報変更ならば使用者の情報を使用者コンピュータ１１に伝送してディスプレイして１５３、使用者が使用者の情報を変更すれば１５４音楽演奏／歌の伴奏サービス主サーバー１０は変更になった使用者の情報をデータベース４６で全部更新する１５５。
【０１１９】
以上と同じ本発明はミディファイルあるいはそれに相応するソースから実際演奏のように楽器別に音標を分割したＶＯＳ音楽ファイルを製作して、このようなＶＯＳ音楽ファイルに歌詞と拍子Ｓｙｎｃ部分を挿入して音楽に対する歌詞と使用者の歌の順序、その他伴奏音を表す歌の伴奏（カラオケ）音楽ファイルを生成する。
【０１２０】
そして、このようなＶＯＳ音楽ファイルと歌の伴奏（カラオケ）音楽ファイルを土台として仮想の環境で他の仮想の使用者等と共に同時に合唱し、または各自自分の担当した楽器を演奏して全体音楽を合奏できる。これは使用者の音声と伴奏音を合成し、または使用者が選択して指示する指定音と指定音以外の音をシステムで提供する背景音の演奏操作に対応した演奏効果を重畳させることである。
【０１２１】
そして、本発明は音楽に合せた適当な演奏操作の時期を使用者に視覚的に指示するので、音楽演奏が飛び抜けた使用者に限定しなくて実際楽器を上手に扱うことができない一般人も容易に音楽を演奏できるようにして、 演奏時に演奏タイミングだけでなく入力キーの追加／削除を通じて難易度を広範囲に変化させることができて、さらにスクラッチ効果音の発生などと同じ高い演奏効果を発生させることも可能である。また、使用者に指示になった演奏操作と使用者の操作にともなう演奏操作に基づいて演奏操作が評価されてその結果が使用者にフィードバックなるので、単純に演奏を楽しむことだけではなく、より高い評価を要請してゲームを進行するという景気性も十分に確保することができる。
【０１２２】
このような本発明はインターネットなどと同じ情報通信網でだけでなく、カラオケ、ゲーム屋、娯楽室、及びデジタル衛星放送網等で一人または多くの人が音楽を独唱／合唱し、または演奏（独奏／合奏）することができる。
【０１２３】
このような１例として、図１９を参照してカラオケ適用例を注意深くみれば、端末機としてはＶＯＳが搭載されたカラオケ（Ｋａｒａｏｋｅ）システムを利用して、入力機としては１０ケ内外のボタンが装着になったカラオケ用ＶＯＳ制御機（望ましくは模擬楽器（鍵盤楽器、弦楽器、打楽器、及び管楽器等））を使用して、出力機としては大きい変更なくても現在カラオケにある出力システムを活用できる。また、通信は一つのカラオケ内で通信がなされればよい。
【０１２４】
一方、ゲーム屋ではゲーム屋システムのサーバーにＶＯＳ制御機を設置して各端末機で音楽を選択して一人または多くの人が演奏できる。
【０１２５】
他の一方、娯楽室ではコインを注入すれば選択された音楽を与えた楽器で手または足で演奏して、結果によって持続できる。
【０１２６】
もう他の一方、デジタル衛星放送機器を利用したＶＯＳを注意深くみれば、セットトップボックスにＶＯＳ再生機を内蔵して、曲はデジタル衛星でサービスしてテレビのブラウン管にディスプレイされる電子楽譜を見ながら公知のＴＶリモートコントローラーのキーボードを利用して演奏することができる。
【０１２７】
また本発明の端末装置は公知のコンピュータに限定されることでなく、ネットワーキング構成要素及びウェブブラウザーなどを具備した端末装置として本発明のサービスプログラムを実行させることができる環境だけ具備したことであればいかなる形態のことでも利用可能である。
【０１２８】
以上と同じように、本実施例ではコンピュータシステムを利用してネットワークを通じてサーバーのサービス制御装置に連結したオンライン状態で演奏し、あるいはオンライン状態でダウンロードした演奏サービスプログラムを利用してクライアント端末装置で実行させて演奏することによって、一人または多くの人が独唱／合唱し、またはそれぞれの楽器を選択して画面に表現される電子楽譜を見ながら音楽を演奏（独奏／合奏）することとして、特定の楽器を長い間の期間の演習なくても容易に演奏するように音楽の演奏方式を単純化させることを仮定したが、 演奏の時２ないし５オクターブまで含んで演奏できるようにキーボード入力方式（もちろん、この時演奏の時使用するキー数字は２０ケ以上が望ましさ）を複雑にして難易度の広範囲な変形が可能なのに、このような変形は本発明の実施例と同じ効果を持つこととして同じ具現方法とみなければならなさは自明である。そして、ミディ楽器は演奏した時声を直接出さないでミディ信号を送りだすのでこれを利用すればミディ楽器を直接活用して演奏して曲の実際楽譜とその正確性、音楽性を比較できるので、このようなミディ楽器を入力機構として活用する変形が可能なのに、このような変形は本発明の実施例と同じ効果を持つこととして同じ具現方法とみなければならなさは自明である。また、入力方式を手だけでなく足としても具現することができて、このような場合にも本実施例と同じことと見なければならなさは自明である。また、カラオケ、ゲーム屋、娯楽室等で使われる楽器を楽器別にその楽器の模様に合うように製作して使用者の興味を倍加させることができるように構成することができて、このような場合にも本実施例と同じことと見なければならなさは自明である。
【０１２９】
以上で説明した本発明は、本発明が属する技術分野で通常の知識を持った定規にあって本発明の技術的思想を抜け出さない範囲内で色々な置換、変形及び変更が可能なので前述した実施例及び添付された図面に限定されることがない。
【０１３０】
前記のような本発明は、インターネットまたは公衆電話網を通じて音楽演奏／歌の伴奏サービスサーバーに連結した多数の使用者が選択によって音楽演奏／歌の伴奏プログラム、または歌の伴奏（カラオケ）音楽ファイル、ＶＯＳ音楽ファイルを受信することができて、実際の世界のカラオケと同じように仮想の環境で他の仮想の使用者等と共に多くの人が合唱で歌をできて、実際楽器を上手に扱うことができない一般人も容易に音楽を演奏できて、高価格な楽器またはスタジオのような設備を揃えた空間なしに個人または多数の遠隔地の使用者が独奏／合唱し、または各自の楽器を演奏（独奏／合奏）できる効果がある。
【図面の簡単な説明】
【図１】本発明にかかる音楽演奏／歌の伴奏サービスシステムの一実施例の構成図。
【図２】本発明にかかる音楽演奏／歌の伴奏サービスシステムの他の実施例の構成図。
【図３】前記図１及び図２の使用者コンピュータの一実施例の細部構成図。
【図４】前記図１及び図２の音楽演奏／歌の伴奏サービスサーバーの一実施例の細部構成図。
【図５】本発明にかかる音楽演奏／歌の伴奏サービスのためのＶＯＳ音楽ファイル製作過程に対する一実施例のフロー図。
【図６】本発明にかかる楽器別音標分割及び貯蔵過程中で電子楽譜の生成方式を表す一実施例の説明図。
【図７】本発明にかかる楽器別の音標分割及び貯蔵過程中で難易度の修正方式を表す一実施例の説明図。
【図８】本発明にかかる音楽演奏／歌の伴奏サービス方法に対する一実施例の全体フロー図。
【図９】本発明にかかる音楽演奏／歌の伴奏サービス方法中で個人演奏遂行過程に対する一実施例の詳細フロー図。
【図１０】は本発明にかかる音楽演奏／歌の伴奏サービス方法中で合奏遂行過程に対する一実施例の詳細フロー図。
【図１１】本発明にかかる音楽演奏／歌の伴奏サービス方法中で個人の独唱遂行過程に対する一実施例の詳細フロー図。
【図１２】本発明にかかる音楽演奏／歌の伴奏サービス方法中で合唱遂行過程に対する一実施例の詳細フロー図。
【図１３】本発明にかかる音楽演奏サービス方法中で使用者の情報照会及び変更遂行過程に対する一実施例の詳細フロー図。
【図１４】本発明にかかる音楽演奏サービス方法中で電子楽譜のディスプレイ過程を表す一実施例の説明図。
【図１５】本発明にかかる音楽演奏サービス方法中で指定音の出力過程を表す一実施例の説明図。
【図１６】本発明にかかる音楽演奏サービス方法中で達成度の表示過程を表す一実施例の説明図。
【図１７】本発明の実施例にかかるＶＯＳカラオケ（Ｋａｒａｏｋｅ）演奏環境の構成図。
【図１】
2004538496.tif 000003
【図２】
2004538496.tif 000004
【図３】
2004538496.tif 000005
【図４】
2004538496.tif 000006
【図５】
2004538496.tif 000007
【図６】
2004538496.tif 000008
【図７】
2004538496.tif 000009
【図８】
2004538496.tif 000010
【図９】
2004538496.tif 000011
【図１０】
2004538496.tif 000012
【図１１】
2004538496.tif 000013
【図１２】
2004538496.tif 000014
【図１３】
2004538496.tif 000015
【図１４】
2004538496.tif 000016
【図１５】
2004538496.tif 000017
【図１６】
2004538496.tif 000018
【図１７】
2004538496.tif 000019
【図１８】
2004538496.tif 000020
【図１９】
2004538496.tif 000021
【国際公開パンフレット】
2004538496.tif 000022
2004538496.tif 000023
2004538496.tif 000024
2004538496.tif 000025
2004538496.tif 000026
2004538496.tif 000027
2004538496.tif 000028
2004538496.tif 000029
2004538496.tif 000030
2004538496.tif 000031
2004538496.tif 000032
2004538496.tif 000033
2004538496.tif 000034
2004538496.tif 000035
2004538496.tif 000036
2004538496.tif 000037
2004538496.tif 000038
2004538496.tif 000039
2004538496.tif 000040
2004538496.tif 000041
2004538496.tif 000042
2004538496.tif 000043
2004538496.tif 000044
2004538496.tif 000045
2004538496.tif 000046
2004538496.tif 000047
2004538496.tif 000048
2004538496.tif 000049
2004538496.tif 000050
2004538496.tif 000051
2004538496.tif 000052
2004538496.tif 000053
2004538496.tif 000054
2004538496.tif 000055
2004538496.tif 000056
2004538496.tif 000057
2004538496.tif 000058
2004538496.tif 000059
2004538496.tif 000060
2004538496.tif 000061
2004538496.tif 000062
2004538496.tif 000063
2004538496.tif 000064
2004538496.tif 000065
2004538496.tif 000066
2004538496.tif 000067
2004538496.tif 000068
2004538496.tif 000069
2004538496.tif 000070
2004538496.tif 000071
2004538496.tif 000072
2004538496.tif 000073
2004538496.tif 000074
2004538496.tif 000075
2004538496.tif 000076
2004538496.tif 000077
2004538496.tif 000078
2004538496.tif 000079
2004538496.tif 000080
2004538496.tif 000081
2004538496.tif 000082
2004538496.tif 000083
2004538496.tif 000084
2004538496.tif 000085
2004538496.tif 000086
2004538496.tif 000087
2004538496.tif 000088
2004538496.tif 000089
2004538496.tif 000090
2004538496.tif 000091
2004538496.tif 000092
2004538496.tif 000093
2004538496.tif 000094
2004538496.tif 000095
2004538496.tif 000096
2004538496.tif 000097
2004538496.tif 000098
2004538496.tif 000099
2004538496.tif 000100
2004538496.tif 000101
2004538496.tif 000102
2004538496.tif 000103
2004538496.tif 000104
2004538496.tif 000105
2004538496.tif 000106
2004538496.tif 000107
2004538496.tif 000108
2004538496.tif 000109
2004538496.tif 000110
2004538496.tif 000111
2004538496.tif 000112
2004538496.tif 000113
【手続補正書】
【提出日】平成14年3月9日(2002.3.9)
【手続補正１】
【補正対象書類名】明細書
【補正対象項目名】特許請求の範囲
【補正方法】変更
【補正の内容】
【特許請求の範囲】
【請求項１】
（補正）音楽演奏サービスシステムにおいて、
音楽演奏ファイル、音楽演奏サービスプログラム、多数の使用者が該当音楽を演奏できる機能を提供する音楽演奏サービス提供手段；及び
前記音楽演奏サービス提供手段と情報通信網を通じて連結して、前記音楽演奏ファイル、前記音楽演奏サービスプログラムをダウンロード受けて、該当音楽を演奏する少なくとも一つの音楽演奏遂行手段とを含み、
前記音楽演奏ファイルは、
該当音楽に対する使用者の演奏順序と楽器別に音標が分割されて楽器別にタイミングによって演奏する音を表す仮想オーケストラシステム（ＶＯＳ）音楽ファイルであり、前記ＶＯＳファイルはＭＩＤＩファイルに貯蔵された音楽ファイルから必要な情報を得られる形態としてＭＩＤＩファイル内のデルタ時間情報を絶対時間情報に変換することで生成されるネットワーク基盤の音楽演奏サービスシステム。
【請求項２】
請求項１において、
前記音楽演奏サービス提供手段は、
前記音楽演奏ファイル、前記音楽演奏サービスプログラム、多数の使用者が該当音楽を合奏できる機能を提供することを特徴とするネットワーク基盤の音楽演奏サービスシステム。
【請求項３】
請求項２において、
前記少なくとも一つの音楽演奏遂行手段は、
前記音楽演奏サービス提供手段と情報通信網を通じて連結して、前記音楽演奏ファイル、前記音楽演奏サービスプログラムをダウンロード受けて、該当音楽を独奏し、または合奏できる機能を提供することを特徴とするネットワーク基盤の音楽演奏サービスシステム。
【請求項４】
請求項１において、
前記音楽演奏サービス提供手段は、
前記情報通信網を通じて少なくとも二つの地域サーバーと連動になって、各々に前記音楽演奏ファイル、前記音楽演奏サービスプログラムを提供して、１地域サーバーで前記情報通信網を通じて前記少なくとも一つの音楽演奏遂行手段に個人独奏や多数の使用者が合奏できる機能を提供して他地域サーバーと前記情報通信網を通じて連動して合奏できる機能を提供することを特徴とするネットワーク基盤の音楽演奏サービスシステム。
【請求項５】
（削除）
【請求項６】
（補正）請求項１において、
前記音楽演奏サービス提供手段は、
前記音楽演奏サービスプログラムを保存して、サービス制御手段の要請によって該当音楽演奏サービスプログラムを前記サービス制御手段に提供するプログラム貯蔵手段；
前記音楽演奏ファイルをジャンル別に分類して保存して、前記少なくとも一つの音楽演奏遂行手段により要請になった該当音楽演奏ファイルを前記サービス制御手段に提供する音楽ファイル貯蔵手段；
前記情報通信網を通じて前記少なくとも一つの音楽演奏遂行手段と連結して、前記音楽演奏ファイル、前記音楽演奏サービスプログラムを前記少なくとも一つの音楽演奏遂行手段に送信して、合奏の遂行時前記少なくとも一つの音楽演奏遂行手段から発生する個人演奏（独奏）データを受信して総合演奏（合奏）データを前記少なくとも一つの音楽演奏遂行手段に送信する第１ネットワーク連結手段；
音楽演奏サービスを制御して、前記少なくとも一つの音楽演奏遂行手段で要求する該当音楽演奏ファイル、該当音楽演奏サービスプログラムを前記第１ネットワーク連結手段に伝達して、前記個人演奏データを多重合奏手段に伝達して、前記総合演奏データを前記第１ネットワーク連結手段に伝達する前記サービス制御手段；前記情報通信網を通じて前記少なくとも一つの音楽演奏遂行手段が所望の該当音楽及び該当音楽を演奏する楽器を選択して合奏を遂行することができる環境を提供して、前記個人演奏データを総合して前記総合演奏データを発生する前記多重合奏手段；及び
前記少なくとも一つの音楽演奏遂行手段の情報と前記ファイル貯蔵手段に保存された音楽演奏ファイル情報、該当音楽に対する楽器別達成度及び合奏達成度の図情報を保存する貯蔵手段を含むネットワーク基盤の音楽演奏サービスシステム。
【請求項７】
請求項６において、
前記少なくとも一つの音楽演奏遂行手段は、
前記情報通信網を通じて前記音楽演奏サービス提供手段と連結して、前記音楽演奏サービス提供手段から前記音楽演奏ファイル、前記音楽演奏サービスプログラムを受信して、合奏の遂行時前記個人演奏（独奏）データを前記音楽演奏サービス提供手段に送信して前記音楽演奏サービス提供手段から前記総合演奏（合奏）データを受信する第２ネットワーク連結手段；
前記第２ネットワーク連結手段を通じて受信された前記音楽演奏ファイルを供給するための音楽ファイル供給手段；
前記音楽演奏ファイル中で該当音楽を演奏する楽器に対する各音標を演奏順序を表した電子楽譜で表示するための画面表示手段；
前記画面表示手段に表示された電子楽譜の各音標に対する演奏順序にともなう使用者からの演奏操作を入力受けるための少なくとも一つの入力手段；
前記第２ネットワーク連結手段を通じて受信された前記音楽演奏サービスプログラムが設置されて遂行になって、前記音楽演奏ファイルを保存して、前記音楽演奏ファイル中で該当音楽を演奏する楽器に対する各音標を演奏順序を表した前記電子楽譜として変換して前記画面表示手段に提供して、前記少なくとも一つの入力手段により演奏操作になった指定音と該当音楽中で指定音以外の背景音を出力するための音楽演奏処理手段；
前記音楽演奏処理手段から提供された指定音と背景音とを合成して該当音楽を演奏するための音楽演奏手段；及び
前記音楽演奏手段により演奏になる該当音楽を出力するための出力手段と
を含むネットワーク基盤の音楽演奏サービスシステム。
【請求項８】
請求項７において、
前記音楽演奏処理手段は、
該当音楽を楽器別に分割したデータを有して、前記電子楽譜をリアルタイムで前記画面表示手段で表示して、使用者が一名である場合には前記電子楽譜を見て使用者が指定する指定音とその他の背景音とをミディ出力メッセージ形態として前記演奏手段に提供することを特徴とするネットワーク基盤の音楽演奏サービスシステム。
【請求項９】
請求項７において、
前記音楽演奏処理手段は、
該当音楽を楽器別に分割したデータを有して、前記電子楽譜をリアルタイムで前記画面表示手段で表示して、演奏者が少なくても２名である場合には前記総合演奏（合奏）データを前記音楽演奏手段に提供することを特徴とするネットワーク基盤の音楽演奏サービスシステム。
【請求項１０】
請求項７において、
前記少なくとも一つの入力手段は、
前記画面表示手段で表示された前記電子楽譜の各音標に対する演奏順序によって使用者の入力した演奏操作を前記音楽演奏処理手段に伝達する少なくとも一つの端末機であることを特徴とするネットワーク基盤の音楽演奏サービスシステム。
【請求項１１】
請求項７において、
前記電子楽譜は、
実質的に、該当音楽に対して使用者の演奏順序を時間進行によって現在演奏しなければならない所をスクロールして視覚的に指示して、楽器別にキー入力の難易度を調整したデジタル電子楽譜であることを特徴とするネットワーク基盤の音楽演奏サービスシステム。
【請求項１２】
請求項７において、
前記電子楽譜は、
実質的に、該当音楽に対して使用者の演奏順序を時間進行によって現在演奏しなければならない所をスクロールして視覚的に指示して、楽器別にキー入力の難易度を易くするために音標でオクターブをなくしてあらゆる音標を一オクターブに帰属させて音標で半音を全音に転移させた７個の音標として分割されたデジタル電子楽譜であることを特徴とするネットワーク基盤の音楽演奏サービスシステム。
【請求項１３】
請求項７において、
前記電子楽譜は、
実質的に、該当音楽に対して使用者の演奏順序を時間進行によって現在演奏しなければならない所をスクロールして視覚的に指示して、楽器別にキー入力の難易度を難しくするために入力キーを複数個として演奏時２ないし５オクターブ中のどれ一つを演奏できるデジタル電子楽譜であることを特徴とするネットワーク基盤の音楽演奏サービスシステム。
【請求項１４】
（補正）請求項１において、
前記音楽演奏ファイルは、
該当音楽に対する使用者の演奏順序と楽器別に音標が分割されて楽器別にタイミングによって演奏する音を表す仮想オーケストラシステム（ＶＯＳ）の音楽ファイルであるのに、
前記仮想オーケストラシステム（ＶＯＳ）の音楽ファイルを製作する過程は、
ミディファイルに保存されている曲メッセージらから必要な情報を得るためにミディメッセージをタイプ別に分離してメモリに保存する第１過程；
デルタ時間（Ｔｉｍｅ）で記載されている前記ミディファイルから絶対時間に修正する時変換作業と楽器と関連になった使用者別に区分して分割作業する第２過程；
楽器を長い間の期間の演習なし容易に演奏するように、該当音楽の演奏方式を単純化させて前記電子楽譜を生成する第３過程；及び
前記第３過程で生成された前記電子楽譜で音標の配置変更、演奏対象になる音標を削除して難易度を調整して、各該当音楽に対して使用者の演奏順序と楽器（トラック）別に音標が分割されて楽器別にタイミングによって演奏する音を表す音楽ファイルを生成する第４過程と
を含むネットワーク基盤の音楽演奏サービスシステム。
【請求項１５】
請求項１４において、
前記第３過程遂行後に、難易度が調整になった前記電子楽譜に曲に対する関連付加情報（すなわち、特定企業、商品、曲などを対象とする広報目的の広告文章、イメージ、サウンドクリップ）を挿入して各付加情報をいつ見せることかに対する時間を指定する第５過程
をもっとも含むネットワーク基盤の音楽演奏サービスシステム。
【請求項１６】
インターネットなどのような情報通信網を通じて音楽演奏サービスを提供するサーバーにおいて、
音楽演奏サービスプログラムを保存して、サービス制御手段の要請によって該当音楽演奏サービスプログラムを前記サービス制御手段に提供するプログラム貯蔵手段；
音楽演奏ファイルをジャンル別に分類して保存して、少なくとも一つの音楽演奏遂行手段により要請になった該当音楽演奏ファイルを前記サービス制御手段に提供する音楽ファイル貯蔵手段；
前記情報通信網を通じて前記少なくとも一つの音楽演奏遂行手段と連結して、前記音楽演奏ファイル、前記音楽演奏サービスプログラムを前記少なくとも一つの音楽演奏遂行手段に送信する第１ネットワーク連結手段；
音楽演奏サービスを制御して、前記少なくとも一つの音楽演奏遂行手段で要求する該当音楽演奏ファイル、該当音楽演奏サービスプログラムを前記第１ネットワーク連結手段に伝達する前記サービス制御手段；及び
前記少なくとも一つの音楽演奏遂行手段の情報と前記ファイル貯蔵手段に保存された音楽演奏ファイル情報、該当音楽に対する楽器別達成度を保存する貯蔵手段と
を含む音楽演奏サービスサーバー。
【請求項１７】
請求項１６において、
前記情報通信網を通じて前記少なくとも一つの音楽演奏遂行手段が所望の該当音楽及び該当音楽を演奏する楽器を選択して合奏を遂行することができる環境を提供して、個人演奏データを総合して総合演奏データを発生する多重合奏手段と  をもっとも含む音楽演奏サービスサーバー。
【請求項１８】
請求項１６または請求項１７において、
前記音楽演奏ファイルは、
該当音楽に対する使用者の演奏順序と楽器別に音標が分割されて楽器別にタイミングによって演奏する音を表す仮想オーケストラシステム（ＶＯＳ）音楽ファイルであることを特徴とする音楽演奏サービスサーバー。
【請求項１９】
請求項１８において、
前記第１ネットワーク連結手段は、
前記情報通信網を通じて前記少なくとも一つの音楽演奏遂行手段と連結して、前記音楽演奏ファイル、前記音楽演奏サービスプログラムを前記少なくとも一つの音楽演奏遂行手段に送信して、合奏遂行時前記少なくとも一つの音楽演奏遂行手段で発生する前記個人演奏（独奏）データを受信して前記総合演奏（合奏）データを前記少なくとも一つの音楽演奏遂行手段に送信することを特徴とする音楽演奏サービスサーバー。
【請求項２０】
請求項１８において、
前記サービス制御手段は、
音楽演奏サービスを制御して、前記少なくとも一つの音楽演奏遂行手段から要求する該当音楽演奏ファイル、該当音楽演奏サービスプログラムを前記第１ネットワーク連結手段に伝達して、前記個人演奏データを前記多重合奏手段に伝達して、前記総合演奏データを前記第１ネットワーク連結手段に伝達することを特徴とする音楽演奏サービスサーバー。
【請求項２１】
請求項１８において、
前記貯蔵手段は、
前記少なくとも一つの音楽演奏遂行手段の情報と前記ファイル貯蔵手段に保存された音楽演奏ファイル情報、該当音楽に対する楽器別達成度及び合奏達成度の情報を保存することを特徴とする音楽演奏サービスサーバー。
【請求項２２】
請求項１８において、
前記音楽演奏ファイルは、
該当音楽に対する使用者の演奏順序と楽器別に音標が分割されて楽器別にタイミングによって演奏する音を表す仮想オーケストラシステム（ＶＯＳ）音楽ファイルであるのに、
前記仮想オーケストラシステム（ＶＯＳ）音楽ファイルを製作する過程は、
ミディファイルに保存されている曲メッセージらから必要な情報を得るためにミディメッセージをタイプ別に分離してメモリに保存する第１過程；
デルタ時間（Ｔｉｍｅ）として記載されている前記ミディファイルから絶対時間に修正する時変換作業と楽器に関連になった使用者別に区分して分割作業する第２過程；
楽器を長い間の期間の演習なしに容易に演奏するように、該当音楽の演奏方式を単純化させて前記電子楽譜を生成する第３過程；及び
前記第３過程で生成された前記電子楽譜で音標の配置変更、演奏対象になる音標を削除して難易度を調整して、各該当音楽に対して使用者の演奏順序と楽器（トラック）別に音標が分割されて楽器別にタイミングによって演奏する音を表す音楽ファイルを生成する第４過程と
を含む音楽演奏サービスサーバー。
【請求項２３】
請求項２２において、
前記第３過程遂行後に、難易度が調整になった前記電子楽譜に曲に対する関連付加情報（すなわち、特定企業、商品、曲などを対象とする広報目的の広告文章、イメージ、サウンドクリップ）を挿入して各付加情報をいつ見せることかに対する時間を指定する第５過程
をもっとも含む音楽演奏サービスサーバー。
【請求項２４】
請求項１８において、
前記少なくとも一つの音楽演奏遂行手段は、
前記情報通信網を通じて前記音楽演奏サービス提供手段と連結して、前記音楽演奏サービス提供手段から前記音楽演奏ファイル、前記音楽演奏サービスプログラムを受信して、合奏遂行時前記個人演奏（独奏）データを前記音楽演奏サービス提供手段に送信して前記音楽演奏サービス提供手段から前記総合演奏（合奏）データを受信する第２ネットワーク連結手段；
前記第２ネットワーク連結手段を通じて受信された前記音楽演奏ファイルを供給するための音楽ファイル供給手段；
前記音楽演奏ファイル中で該当音楽を演奏する楽器に対する各音標を演奏順序を表した電子楽譜として表示するための画面表示手段；
前記画面表示手段に表示された電子楽譜の各音標に対する演奏順序にともなう使用者からの演奏操作を入力受けるための少なくとも一つの入力手段；
前記第２ネットワーク連結手段を通じて受信された前記音楽演奏サービスプログラムが設置されて遂行になって、前記音楽演奏ファイルを保存して、前記音楽演奏ファイル中で該当音楽を演奏する楽器に対する各音標を演奏順序を表した前記電子楽譜に変換して前記画面表示手段に提供して、前記少なくとも一つの入力手段により演奏操作になった指定音と該当音楽中で指定音以外の背景音を出力するための音楽演奏処理手段；
前記音楽演奏処理手段から提供された指定音と背景音とを合成して該当音楽を演奏するための音楽演奏手段；及び
前記音楽演奏手段により演奏になる該当音楽を出力するための出力手段と
を含む音楽演奏サービスサーバー。
【請求項２５】
請求項２４において、
前記音楽演奏処理手段は、
該当音楽を楽器別に分割したデータを有して、前記電子楽譜をリアルタイムに前記画面表示手段に表示して、使用者が一名である場合には前記電子楽譜を見て使用者の指定する指定音とその他の背景音とをミディ出力メッセージ形態で前記音楽演奏手段に提供して、演奏者が少なくても２名である場合には前記総合演奏（合奏）データを前記音楽演奏手段に提供することを特徴とする音楽演奏サービスサーバー。
【請求項２６】
請求項２４において、
前記電子楽譜は、
実質的に、該当音楽に対して使用者の演奏順序を時間進行によって現在演奏しなければならない所をスクロールして視覚的に指示して、楽器別にキー入力の難易度を調整したデジタル電子楽譜であることを特徴とする音楽演奏サービスサーバー。
【請求項２７】
請求項２４において、
前記電子楽譜は、
実質的に、該当音楽に対して使用者の演奏順序を時間進行によって現在演奏しなければならない所をスクロールして視覚的に指示して、楽器別にキー入力の難易度を易くするために音標でオクターブをなくしてあらゆる音標を一オクターブに帰属させて音標で半音を全音に転移させた７個の音標に分割して、楽器別にキー入力の難易度を難しくするために入力キーを複数個として演奏時２ないし５オクターブのいずれかの一つを演奏できるようにすることを特徴とする音楽演奏サービスサーバー。
【請求項２８】
音楽演奏サービスを提供する音楽演奏端末機において、
情報通信網を通じて音楽演奏サービス提供手段と連結して、前記音楽演奏サービス提供手段から音楽演奏ファイル、音楽演奏サービスプログラムを受信する第１ネットワーク連結手段；
前記第１ネットワーク連結手段を通じて受信された前記音楽演奏ファイルを供給するための音楽ファイル供給手段；
前記音楽演奏ファイル中で該当音楽を演奏する楽器に対する各音標を演奏順序を表した電子楽譜として表示するための画面表示手段；
前記画面表示手段に表示された前記電子楽譜の各音標に対する演奏順序にともなう使用者からの演奏操作を入力受けるための少なくとも一つの入力手段；
前記第１ネットワーク連結手段を通じて受信された前記音楽演奏サービスプログラムが設置されて遂行になって、前記音楽演奏ファイルを保存して、前記音楽演奏ファイル中で該当音楽を演奏する楽器に対する各音標を演奏順序を表した前記電子楽譜に変換して前記画面表示手段に提供して、前記少なくとも一つの入力手段により演奏操作になった指定音と該当音楽中で指定音以外の背景音とを出力するための音楽演奏処理手段；
前記音楽演奏処理手段から提供された指定音と背景音とを合成して該当音楽を演奏するための音楽演奏手段；及び
前記音楽演奏手段により演奏になる該当音楽を出力するための出力手段と
を含む音楽演奏端末機。
【請求項２９】
請求項２８において、
前記第１ネットワーク連結手段は、
情報通信網を通じて前記音楽演奏サービス提供手段と連結して、前記音楽演奏サービス提供手段から前記音楽演奏ファイル、前記音楽演奏サービスプログラムを受信して、合奏遂行時前記個人演奏（独奏）データを前記音楽演奏サービス提供手段に送信して前記音楽演奏サービス提供手段から前記総合演奏（合奏）データを受信することを特徴とする音楽演奏端末機。
【請求項３０】
請求項２８において、
前記音楽演奏サービス提供手段は、
前記音楽演奏ファイル、前記音楽演奏サービスプログラム、多数の使用者が該当音楽を合奏できる機能を提供することを特徴とする音楽演奏端末機。
【請求項３１】
請求項２８において、
前記音楽演奏サービス提供手段は、
前記情報通信網を通じて少なくとも二つの地域サーバーと連動になって、各々に前記音楽演奏ファイル、前記音楽演奏サービスプログラムを提供して、１地域サーバーで前記情報通信網を通じて前記音楽演奏端末機に個人独奏や多数の使用者が合奏できる機能を提供して他地域サーバーと前記情報通信網を通じて連動して合奏できる機能を提供することを特徴とする音楽演奏端末機。
【請求項３２】
請求項２８において、
前記音楽演奏サービス提供手段は、
前記音楽演奏サービスプログラムを保存して、サービス制御手段の要請によって該当音楽演奏サービスプログラムを前記サービス制御手段に提供するプログラム貯蔵手段；
前記音楽演奏ファイルをジャンル別に分類して保存して、前記音楽演奏端末機により要請になった該当音楽演奏ファイルを前記サービス制御手段に提供する音楽ファイル貯蔵手段；
前記情報通信網を通じて前記音楽演奏端末機と連結して、前記音楽演奏ファイル、前記音楽演奏サービスプログラムを前記音楽演奏端末機に送信し、合奏遂行時前記音楽演奏端末機で発生する前記個人演奏（独奏）データを受信して前記総合演奏（合奏）データを前記音楽演奏端末機に送信する第２ネットワーク連結手段；
音楽演奏サービスを制御して、前記音楽演奏端末機から要求する該当音楽演奏ファイル、該当音楽演奏サービスプログラムを前記第２ネットワーク連結手段に伝達して、前記個人演奏データを多重合奏手段に伝達して、前記総合演奏データを前記第２ネットワーク連結手段に伝達する前記サービス制御手段；
前記情報通信網を通じて前記音楽演奏端末機が所望の該当音楽及び該当音楽を演奏する楽器を選択して合奏を遂行することができる環境を提供して、前記個人演奏データを総合して前記総合演奏データを発生する前記多重合奏手段；及び
前記音楽演奏端末機の情報と前記ファイル貯蔵手段に保存された音楽演奏ファイル情報、該当音楽に対する楽器別達成度及び合奏達成度の情報とを保存する貯蔵手段と
を含む音楽演奏端末機。
【請求項３３】
請求項２８〜請求項３２のいずれかの一項において、
前記音楽演奏ファイルは、
該当音楽に対する使用者の演奏順序と楽器別に音標が分割されて楽器別にタイミングによって演奏する音を表す仮想オーケストラシステム（ＶＯＳ）音楽ファイルであることを特徴とする音楽演奏端末機。
【請求項３４】
請求項３３において、
前記音楽演奏処理手段は、
該当音楽を楽器別に分割したデータを有して、前記電子楽譜をリアルタイムに前記画面表示手段に表示して、使用者が一名である場合には前記電子楽譜を見て使用者の指定する指定音とその他の背景音とをミディ出力メッセージ形態として前記音楽演奏手段に提供して、演奏者が少なくても２名である場合には前記総合演奏（合奏）データを前記音楽演奏手段に提供することを特徴とする音楽演奏端末機。
【請求項３５】
請求項３３において、
前記電子楽譜は、
実質的に、該当音楽に対して使用者の演奏順序を時間進行によって現在演奏しなければならない所をスクロールして視覚的に指示して、楽器別にキー入力の難易度を調整したデジタル電子楽譜であることを特徴とする音楽演奏端末機。
【請求項３６】
請求項３３において、
前記電子楽譜は、
実質的に、該当音楽に対して使用者の演奏順序を時間進行によって現在演奏しなければならない所をスクロールして視覚的に指示して、楽器別にキー入力の難易度を容易にするために音標でオクターブをなくしてあらゆる音標を一オクターブに帰属させて音標で半音を全音に転移させた７個の音標に分割して、楽器別にキー入力の難易度を難しくするために入力キーを複数個にして演奏時２ないし５オクターブのいずれかの一つを演奏できるようにすることを特徴とする音楽演奏端末機。
【請求項３７】
歌の伴奏サービスシステムにおいて、
歌の伴奏ファイル、歌の伴奏サービスプログラム、多数の使用者が該当音楽を歌うことができる機能を提供する歌の伴奏サービス提供手段；及び
前記歌の伴奏サービス提供手段と情報通信網を通じて連結して、前記歌の伴奏ファイル、前記歌の伴奏サービスプログラムをダウンロード受けて、該当音楽を歌うことができる機能を提供する少なくとも一つの歌遂行手段と
を含むネットワーク基盤の歌の伴奏サービスシステム。
【請求項３８】
請求項３７において、
前記歌の伴奏サービス提供手段は、
前記歌の伴奏ファイル、前記歌の伴奏サービスプログラム、多数の使用者が該当音楽を合唱できる機能を提供することを特徴とするネットワーク基盤の歌の伴奏サービスシステム。
【請求項３９】
請求項３８において、
前記少なくとも一つの歌遂行手段は、
前記歌の伴奏サービス提供手段と情報通信網を通じて連結して、前記歌の伴奏ファイル、前記歌の伴奏サービスプログラムをダウンロード受けて、該当音楽を独唱し、または合唱できる機能を提供することを特徴とするネットワーク基盤の歌の伴奏サービスシステム。
【請求項４０】
請求項３７において、
前記歌の伴奏サービス提供手段は、
前記情報通信網を通じて少なくとも二つの地域サーバーと連動になって、各々に前記歌の伴奏ファイル、前記歌の伴奏サービスプログラムを提供して、１地域サーバーで前記情報通信網を通じて前記少なくとも一つの歌遂行手段に個人独唱または多数の使用者が合唱できる機能を提供して他地域サーバーと前記情報通信網を通じて連動して合唱できる機能を提供することを特徴とするネットワーク基盤の歌の伴奏サービスシステム。
【請求項４１】
請求項３７〜請求項４０のいずれかの一項において、
前記歌の伴奏ファイルは、
該当音楽に対する使用者の演奏順序と楽器別に音標が分割されて楽器別にタイミングによって演奏する音を表す仮想オーケストラシステム（ＶＯＳ）音楽ファイルに歌詞と拍子シンク（Ｓｙｎｃ）部分を挿入して、音楽に対する歌詞と使用者の歌の順序、その他伴奏音を表すカラオケ音楽ファイルであることを特徴とするネットワーク基盤の歌の伴奏サービスシステム。
【請求項４２】
請求項４１において、
前記歌の伴奏サービス提供手段は、
前記歌の伴奏サービスプログラムを保存して、サービス制御手段の要請によって該当歌の伴奏サービスプログラムを前記サービス制御手段に提供するプログラム貯蔵手段；
前記歌の伴奏ファイルをジャンル別に分類して保存して、前記少なくとも一つの歌遂行手段により要請になった該当歌の伴奏ファイルを前記サービス制御手段に提供する音楽ファイル貯蔵手段；
前記情報通信網を通じて前記少なくとも一つの歌遂行手段と連結して、前記歌の伴奏ファイル、前記歌の伴奏サービスプログラムを前記少なくとも一つの歌遂行手段に送信して、合唱遂行時前記少なくとも一つの歌遂行手段で発生する個人歌（独唱）データを受信して総合歌（合唱）データを前記少なくとも一つの歌遂行手段に送信する第１ネットワーク連結手段；
歌の伴奏サービスを制御して、前記少なくとも一つの歌遂行手段から要求する該当歌の伴奏ファイル、該当歌の伴奏サービスプログラムを前記第１ネットワーク連結手段に伝達して、前記個人歌データを多重合唱手段に伝達して、前記総合歌データを前記第１ネットワーク連結手段に伝達する前記サービス制御手段；
前記情報通信網を通じて前記少なくとも一つの歌遂行手段が所望の該当音楽を合唱できるように合唱環境を提供して、前記個人歌データを総合して前記総合歌データを発生する前記多重合唱手段；及び
前記少なくとも一つの歌遂行手段の情報と前記ファイル貯蔵手段に保存された歌の伴奏ファイル情報、該当音楽に対する独奏の達成度及び合唱の達成度の情報を保存する貯蔵手段と
を含むネットワーク基盤の歌の伴奏サービスシステム。
【請求項４３】
請求項４２において、
前記少なくとも一つの歌遂行手段は、
前記情報通信網を通じて前記歌の伴奏サービス提供手段と連結して、前記歌の伴奏サービス提供手段から前記歌の伴奏ファイル、前記歌の伴奏サービスプログラムを受信して、合唱遂行時前記個人歌（独唱）データを前記歌の伴奏サービス提供手段に送信して前記歌の伴奏サービス提供手段から前記総合歌（合唱）データを受信する第２ネットワーク連結手段；
前記第２ネットワーク連結手段を通じて受信された前記歌の伴奏ファイルを供給するための音楽ファイル供給手段；
前記歌の伴奏ファイル中で該当音楽に対する歌詞と歌の順序を表示するための画面表示手段；
前記画面表示手段に表示された歌の順序にともなう使用者の音声を入力受けるための使用者入力手段；
前記第２ネットワーク連結手段を通じて受信された前記歌の伴奏サービスプログラムが設置されて遂行になって、前記歌の伴奏ファイルを保存して、前記歌の伴奏ファイル中で歌詞と歌の順序を前記画面表示手段に提供して前記使用者入力手段により入力された使用者の音声と該当音楽中で使用者の音声以外の伴奏音を出力するための歌の伴奏処理手段；
前記歌の伴奏処理手段から提供されてた使用者の音声と伴奏音を合成して該当音楽を演奏するための音楽演奏手段；及び
前記音楽演奏手段により演奏になる該当音楽を出力するための出力手段と
を含むネットワーク基盤の歌の伴奏サービスシステム。
【請求項４４】
インターネットなどのような情報通信網を通じて歌の伴奏サービスを提供するサーバーにおいて、
歌の伴奏サービスプログラムを保存して、サービス制御手段の要請によって該当歌の伴奏サービスプログラムを前記サービス制御手段に提供するプログラム貯蔵手段；
歌の伴奏ファイルをジャンル別に分類して保存して、少なくとも一つの歌遂行手段により要請になった該当歌の伴奏ファイルを前記サービス制御手段に提供する音楽ファイル貯蔵手段；
前記情報通信網を通じて前記少なくとも一つの歌遂行手段と連結して、前記歌の伴奏ファイル、前記歌の伴奏サービスプログラムを前記少なくとも一つの歌遂行手段に送信する第１ネットワーク連結手段；
歌の伴奏サービスを制御して、前記少なくとも一つの歌遂行手段で要求する該当歌の伴奏ファイル、該当歌の伴奏サービスプログラムを前記第１ネットワーク連結手段に伝達する前記サービス制御手段；及び
前記少なくとも一つの歌遂行手段の情報と前記ファイル貯蔵手段に保存された歌の伴奏ファイル情報、該当音楽に対する個人別独唱達成度を保存する貯蔵手段と
を含む歌の伴奏サービスサーバー。
【請求項４５】
請求項４４において、
前記情報通信網を通じて前記少なくとも一つの歌遂行手段が所望の該当音楽を合唱できるように合唱環境を提供して、個人の歌データを総合して総合歌データを発生する多重合唱手段と
をもっとも含む歌の伴奏サービスサーバー。
【請求項４６】
請求項４４または請求項４５において、
前記歌の伴奏ファイルは、
該当音楽に対する使用者の演奏順序と楽器別に音標が分割されて楽器別にタイミングによって演奏する音を表す仮想オーケストラシステム（ＶＯＳ）音楽ファイルに歌詞と拍子シンク（Ｓｙｎｃ）部分を挿入して、音楽に対する歌詞と使用者の歌の順序、その他伴奏音を表すカラオケ音楽ファイルであることを特徴とする歌の伴奏サービスサーバー。
【請求項４７】
請求項４６において、
前記第１ネットワーク連結手段は、
前記情報通信網を通じて前記少なくとも一つの歌遂行手段と連結して、前記歌の伴奏ファイル、前記歌の伴奏サービスプログラムを前記少なくとも一つの歌遂行手段に送信して、合唱遂行時前記少なくとも一つの歌遂行手段で発生する前記個人の歌（独唱）データを受信して前記総合歌（合唱）データを前記少なくとも一つの歌遂行手段に送信することを特徴とする歌の伴奏サービスサーバー。
【請求項４８】
請求項４６において、
前記サービス制御手段は、
歌の伴奏サービスを制御して、前記少なくとも一つの歌遂行手段から要求する該当歌の伴奏ファイル、該当歌の伴奏サービスプログラムを前記第１ネットワーク連結手段に伝達して、前記個人の歌データを前記多重合唱手段に伝達して、前記総合歌データを前記第１ネットワーク連結手段に伝達することを特徴とする歌の伴奏サービスサーバー。
【請求項４９】
請求項４６において、
前記貯蔵手段は、
前記少なくとも一つの歌遂行手段の情報と前記ファイル貯蔵手段に保存された歌の伴奏ファイル情報、該当音楽に対する個人別独唱達成度及び合唱達成度の情報を保存することを特徴とする歌の伴奏サービスサーバー。
【請求項５０】
請求項４６において、
前記少なくとも一つの歌遂行手段は、
前記情報通信網を通じて前記歌の伴奏サービス提供手段と連結して、前記歌の伴奏サービス提供手段から前記歌の伴奏ファイル、前記歌の伴奏サービスプログラムを受信して、合唱遂行時前記個人歌（独唱）データを前記歌の伴奏サービス提供手段に送信して前記歌の伴奏サービス提供手段から前記総合歌（合唱）データを受信する第２ネットワーク連結手段；
前記第２ネットワーク連結手段を通じて受信された前記歌の伴奏ファイルを供給するための音楽ファイル供給手段；
前記歌の伴奏ファイル中該当音楽に対する歌詞と歌の順序を表示するための画面表示手段；
前記画面表示手段に表示された歌の順序にともなう使用者の音声を入力受けるための使用者入力手段；
前記第２ネットワーク連結手段を通じて受信された前記歌の伴奏サービスプログラムが設置されて遂行になって、前記歌の伴奏ファイルを保存して、前記歌の伴奏ファイル中歌歌詞と歌の順序を前記画面表示手段に提供して前記使用者の入力手段により入力された使用者の音声と該当音楽中で使用者の音声以外の伴奏音を出力するための歌の伴奏処理手段；
前記歌の伴奏処理手段から提供された使用者の音声と伴奏音を合成して該当音楽を演奏するための音楽演奏手段；及び
前記音楽演奏手段により演奏になる該当音楽を出力するための出力手段と
を含む歌の伴奏サービスサーバー。
【請求項５１】
請求項５０において、
前記歌の伴奏処理手段は、
該当音楽に対する歌詞と使用者の歌の順序、その他伴奏音に分割したデータであって、歌詞と歌の順序をリアルタイムに前記画面表示手段に表示して、使用者が一名である場合には歌の順序にともなう使用者の音声とその他の伴奏音をミディ出力メッセージ形態として前記音楽演奏手段に提供して、合唱者が少なくとも２名である場合には前記総合歌（合唱）データを前記音楽演奏手段に提供することを特徴とする歌の伴奏サービスサーバー。
【請求項５２】
歌の伴奏サービスを提供する歌の伴奏端末機において、
情報通信網を通じて歌の伴奏サービス提供手段と連結して、前記歌の伴奏サービス提供手段から歌の伴奏ファイル、歌の伴奏サービスプログラムを受信する第１ネットワーク連結手段；
前記第１ネットワーク連結手段を通じて受信された前記歌の伴奏ファイルを供給するための音楽ファイル供給手段；
前記歌の伴奏ファイル中で該当音楽に対する歌詞と歌の順序を表示するための画面表示手段；
前記画面表示手段に表示された歌の順序にともなう使用者の音声を入力受けるための使用者の入力手段；
前記第１ネットワーク連結手段を通じて受信された前記歌の伴奏サービスプログラムが設置されて遂行になって、前記歌の伴奏ファイルを保存して、前記歌の伴奏ファイル中で歌詞と歌の順序を前記画面表示手段に提供して前記使用者の入力手段により入力された使用者の音声と該当音楽中で使用者の音声以外の伴奏音を出力するための歌の伴奏処理手段；
前記歌の伴奏処理手段から提供された使用者の音声と伴奏音を合成して該当音楽を演奏するための音楽演奏手段；及び
前記音楽演奏手段により演奏になる該当音楽を出力するための出力手段と
を含む歌の伴奏端末機。
【請求項５３】
請求項５２において、
前記第１ネットワーク連結手段は、
情報通信網を通じて前記歌の伴奏サービス提供手段と連結して、前記歌の伴奏サービス提供手段から前記歌の伴奏ファイル、前記歌の伴奏サービスプログラムを受信して、合唱遂行時前記個人の歌（独唱）データを前記歌の伴奏サービス提供手段に送信して前記歌の伴奏サービス提供手段から前記総合歌（合唱）データを受信することを特徴とする歌の伴奏端末機。
【請求項５４】
請求項５２において、
前記歌の伴奏サービス提供手段は、
前記歌の伴奏ファイル、前記歌の伴奏サービスプログラム、多数の使用者が該当音楽を合唱できる機能を提供することを特徴とする歌の伴奏端末機。
【請求項５５】
請求項５２において、
前記歌の伴奏サービス提供手段は、
前記情報通信網を通じて少なくとも二つの地域サーバーと連動になって、各々に前記歌の伴奏ファイル、前記歌の伴奏サービスプログラムを提供して、１地域サーバーで前記情報通信網を通じて前記歌の伴奏端末機に個人独唱または多数の使用者が合唱できる機能を提供して他地域サーバーと前記情報通信網を通じて連動して合唱できる機能を提供することを特徴とする歌の伴奏端末機。
【請求項５６】
請求項５２において、
前記歌の伴奏サービス提供手段は、
前記歌の伴奏サービスプログラムを保存して、サービス制御手段の要請によって該当歌の伴奏サービスプログラムを前記サービス制御手段に提供するプログラム貯蔵手段；
前記歌の伴奏ファイルをジャンル別に分類して保存して、前記歌の伴奏端末機により要請になった該当歌の伴奏ファイルを前記サービス制御手段に提供する音楽ファイル貯蔵手段；
前記情報通信網を通じて前記歌の伴奏端末機と連結して、前記歌の伴奏ファイル、前記歌の伴奏サービスプログラムを前記歌の伴奏端末機に送信して、合唱遂行時前記歌の伴奏端末機で発生する前記個人の歌（独唱）データを受信して前記総合歌（合唱）データを前記歌の伴奏端末機に送信する第２ネットワーク連結手段；
歌の伴奏サービスを制御して、前記歌の伴奏端末機で要求する該当歌の伴奏ファイル、該当歌の伴奏サービスプログラムを前記第２ネットワーク連結手段に伝達して、前記個人歌データを多重合唱手段に伝達して、前記総合歌データを前記第２ネットワーク連結手段に伝達する前記サービス制御手段；
前記情報通信網を通じて前記歌の伴奏端末機が合唱を所望の該当音楽を合唱できる合唱環境を提供して、前記個人の歌データを総合して前記総合歌データを発生する前記多重合唱手段；及び
前記歌の伴奏端末機の情報と前記ファイル貯蔵手段に保存された歌の伴奏ファイル情報、該当音楽に対する個人別の独唱達成度及び合唱の達成度の情報を保存する貯蔵手段と
を含む歌の伴奏端末機。
【請求項５７】
請求項５２〜請求項５６のいずれかの一項において、
前記歌の伴奏ファイルは、
該当音楽に対する使用者の演奏順序と楽器別に音標が分割されて楽器別にタイミングによって演奏する音を表す仮想オーケストラシステム（ＶＯＳ）音楽ファイルに歌詞と拍子シンク（Ｓｙｎｃ）部分を挿入して、音楽に対する歌詞と使用者の歌の順序、その他伴奏音を表すカラオケ音楽ファイルであることを特徴とする歌の伴奏端末機。
【請求項５８】
請求項５７において、
前記歌の伴奏処理手段は、
該当音楽に対する歌詞と使用者の歌の順序、その他伴奏音に分割したデータを有して、歌詞と歌の順序をリアルタイムに前記画面表示手段に表示して、使用者が一名である場合には歌の順序にともなう使用者の音声とその他の伴奏音をミディ出力メッセージ形態に前記音楽演奏手段に提供して、合唱者が少なくとも２名である場合には前記総合歌（合唱）データを前記音楽演奏手段に提供することを特徴とする歌の伴奏端末機。
【請求項５９】
インターネット、公衆電話網などのような情報通信網を通した音楽演奏サービス方法において、
音楽演奏サービスサーバーが該当音楽に対して使用者の演奏順序と楽器別に音標が分割されて楽器別にタイミングによって演奏する音を表す音楽演奏ファイルを生成する第１ステップ；
前記情報通信網を通じて音楽演奏サービスを受けようとする使用者の接続時に、使用者の認証過程を行う第２ステップ；
前記第２ステップの認証結果によって、正当な使用者に限り前記音楽演奏サービスサーバーが前記情報通信網を通じて前記音楽演奏ファイル、音楽演奏サービスプログラムを音楽演奏端末機に提供する第３ステップ；及び
前記第２ステップの認証結果によって、正当な使用者に限り前記音楽演奏サービスサーバーが前記情報通信網を通じて音楽演奏をサービスする第４ステップと  を含むネットワーク基盤の音楽演奏サービス方法。
【請求項６０】
請求項５９において、
前記第２ステップの認証結果によって、正当な使用者に限り前記音楽演奏サービスサーバーが使用者の情報を照会及び変更処理する第５ステップ
をもっとも含むネットワーク基盤の音楽演奏サービス方法。
【請求項６１】
請求項６０において、
前記第５ステップは、
使用者の情報照会及び変更時に、前記使用者の情報を前記音楽演奏端末機に伝送する第６ステップ；
前記音楽演奏端末機が画面表示装置に前記使用者の情報をディスプレイする第７ステップ；及び
前記使用者の情報変更時に、前記音楽演奏サービスサーバーが変更になった使用者の情報をデータベースで更新する第８ステップと
を含むネットワーク基盤の音楽演奏サービス方法。
【請求項６２】
請求項５９において、
前記音楽演奏サービスサーバーは、
前記音楽演奏ファイル、前記音楽演奏サービスプログラム、多数の使用者が該当音楽を合奏できる機能を提供することを特徴とするネットワーク基盤の音楽演奏サービス方法。
【請求項６３】
請求項６２において、
前記音楽演奏端末機は、
前記音楽演奏サービスサーバーと情報通信網を通じて連結して、前記音楽演奏ファイル、前記音楽演奏サービスプログラムをダウンロード受けて、該当音楽を独奏し、または合奏できる機能を提供することを特徴とするネットワーク基盤の音楽演奏サービス方法。
【請求項６４】
請求項５９において、
前記音楽演奏サービスサーバーは、
前記情報通信網を通じて少なくとも二つの地域サーバーと連動になって、各々に前記音楽演奏ファイル、前記音楽演奏サービスプログラムを提供して、１地域サーバーで前記情報通信網を通じて前記音楽演奏端末機に個人独奏または多数の使用者が合奏できる機能を提供して他地域サーバーと前記情報通信網を通じて連動して合奏できる機能を提供することを特徴とするネットワーク基盤の音楽演奏サービス方法。
【請求項６５】
請求項５９〜請求項６４のいずれかの一項において、
前記音楽演奏ファイルは、該当音楽に対する使用者の演奏順序と楽器別に音標が分割されて楽器別にタイミングによって演奏する指定音、その他背景音を表す仮想オーケストラシステム（ＶＯＳ）音楽ファイルであることを特徴とするネットワーク基盤の音楽演奏サービス方法。
【請求項６６】
請求項６５において、
前記音楽演奏端末機は、
前記音楽演奏サービスサーバーから前記情報通信網を通じて前記音楽演奏サービスプログラム及び前記音楽演奏ファイルをダウンロードして前記音楽演奏サービスプログラムを設置して、前記音楽演奏サービスプログラムを駆動して前記音楽演奏ファイルを土台として該当音楽を独奏し、または合奏できる機能を提供することを特徴とするネットワーク基盤の音楽演奏サービス方法。
【請求項６７】
請求項６５において、
前記第１ステップは、
ミディファイルに保存されている曲メッセージらから必要な情報を得るためにミディメッセージをタイプ別に分離してメモリに保存する第９ステップ；
デルタ時間（Ｔｉｍｅ）に記載されている前記ミディファイルから絶対時間に修正する時変換作業と楽器に関連になった使用者別に区分して分割作業する第１０ステップ；
楽器を長い間の期間の演習なしに容易に演奏するように、該当音楽の演奏方式を単純化させて前記電子楽譜を生成する第１１ステップ；及び
前記第１１ステップで生成された前記電子楽譜で音標の配置変更、演奏対象になる音標を削除して難易度を調整して、各該当音楽に対して使用者の演奏順序と楽器（トラック）別に音標が分割されて楽器別にタイミングによって演奏する音を表す音楽ファイルを生成する第１２ステップと
を含むネットワーク基盤の音楽演奏サービス方法。
【請求項６８】
請求項６７において、
前記第１１ステップ遂行後に、難易度が調整になった前記電子楽譜に曲に対する関連付加情報（すなわち、特定企業、商品、曲などを対象とする広報目的の広告文章、イメージ、サウンドクリップ）を挿入して各付加情報をいつ見せることかに対する時間を指定する第１３ステップと
をもっとも含むネットワーク基盤の音楽演奏サービス方法。
【請求項６９】
請求項６８において、
前記電子楽譜は、
実質的に、該当音楽に対して使用者の演奏順序を時間進行によって現在演奏しなければならない所をスクロールして視覚的に指示して、楽器別にキー入力の難易度を調整したデジタル電子楽譜であることを特徴とするネットワーク基盤の音楽演奏サービス方法。
【請求項７０】
請求項６８において、
前記電子楽譜は、
実質的に、該当音楽に対して使用者の演奏順序を時間進行によって現在演奏しなければならない所をスクロールして視覚的に指示して、楽器別にキー入力の難易度を易くするために音標でオクターブをなくしてあらゆる音標を一オクターブに帰属させて音標で半音を全音に転移させた７個の音標に分割されたデジタル電子楽譜であることを特徴とするネットワーク基盤の音楽演奏サービス方法。
【請求項７１】
請求項６８において、
前記電子楽譜は、
実質的に、該当音楽に対して使用者の演奏順序を時間進行によって現在演奏しなければならない所をスクロールして視覚的に指示して、楽器別にキー入力の難易度を難しくするために入力キーを複数個として演奏時２ないし５オクターブのいずれかの一つを演奏できるデジタル電子楽譜であることを特徴とするネットワーク基盤の音楽演奏サービス方法。
【請求項７２】
請求項６５において、
前記第４ステップの音楽演奏サービス過程中で個人演奏サービス過程は、
前記音楽演奏サービスサーバーを通した個人演奏を遂行することかを判断する第９ステップ；
前記第９ステップの判断結果、前記音楽演奏端末機を通じて個人演奏をサービスする第１０ステップ；及び
前記第９ステップの判断結果、前記音楽演奏サービスサーバーを通じて個人演奏をサービスする第１１ステップと
を含むネットワーク基盤の音楽演奏サービス方法。
【請求項７３】
請求項７２において、
前記第１０ステップは、
前記音楽演奏端末機が使用者から該当演奏曲及び演奏する楽器を選択受ける第１２ステップ；
画面表示装置を通じて該当演奏曲を演奏する楽器に対する各音標を演奏順序を表した電子楽譜にディスプレイする第１３ステップ；
使用者が前記画面表示装置にディスプレイになった前記電子楽譜に沿って演奏を遂行すれば、前記音楽演奏端末機の音楽演奏処理処置が入力装置から使用者の演奏入力を受信する第１４ステップ；
前記演奏入力に背景音を合成して演奏音を出力する第１５ステップ；及び
前記音楽演奏処理処置が該当音楽演奏ファイルの楽器演奏に対する達成度を前記画面表示装置に出力する第１６ステップと
を含むネットワーク基盤の音楽演奏サービス方法。
【請求項７４】
請求項７２において、
前記第１１ステップは、
前記音楽演奏サービスサーバーが使用者から前記音楽演奏ファイル中で演奏する曲を選択受ける第１２ステップ；
前記選択された曲が前記音楽演奏端末機に存在しているかを確認して、存在しなければ選択された曲に該当する前記音楽演奏ファイルを前記音楽演奏端末機に提供する第１３ステップ；
前記音楽演奏端末機で前記選択された曲を演奏する楽器を選択受ける第１４ステップ；
画面表示装置を通じて該当演奏曲を演奏する楽器に対する各音標を演奏順序を表した電子楽譜にディスプレイする第１５ステップ；
使用者が前記画面表示装置にディスプレイになった前記電子楽譜に沿って演奏を遂行すれば、前記音楽演奏端末機の音楽演奏処理装置が入力装置から使用者の演奏入力を受信する第１６ステップ；
前記演奏入力に背景音を合成して演奏音を出力する第１７ステップ；
前記音楽演奏処理処置が使用者の該当音楽演奏ファイルの楽器に対する達成度を前記画面表示装置に出力して、ネットワーク連結装置を利用して演奏に関連した情報を前記音楽演奏サービスサーバーのデータベースに保存する第１８ステップ；及び
使用者が他の曲を演奏することかを確認して、他の曲を演奏しようとする場合に前記第１２ステップに移る第１９ステップと
を含むネットワーク基盤の音楽演奏サービス方法。
【請求項７５】
請求項６５において、
前記第４ステップの音楽演奏サービス過程中合奏サービス過程は、
前記音楽演奏サービスサーバーに接続した使用者から合奏曲を選択受ける第９ステップ；
前記選択された曲が前記音楽演奏端末機に存在するかを確認して、存在しなければ選択された合奏曲を前記音楽演奏端末機に伝送して、前記選択された曲の選択可能な楽器リストを各音楽演奏端末機にディスプレイする第１０ステップ；
各使用者から前記楽器リストで自身が演奏する楽器を選択受けて合奏を遂行して、該当情報を保存する第１１ステップ；及び
使用者から他の曲を演奏することかを確認受けて、他の曲を演奏しようとする場合に前記第９ステップに移る第１２ステップと
を含むネットワーク基盤の音楽演奏サービス方法。
【請求項７６】
請求項７５において、
前記第９ステップは、前記音楽演奏サービスサーバーに接続した使用者が合奏のための他の使用者と合奏する曲を協議する第１３ステップ；
使用者から該当合奏曲が存在する音楽ジャンルを選択受ける第１４ステップ；及び
使用者から前記協議した合奏曲を選択受ける第１５ステップと
を含むネットワーク基盤の音楽演奏サービス方法。
【請求項７７】
請求項７５において、
前記第１１ステップは、
各使用者から前記楽器リストで自身が演奏する楽器を選択受ける第１３ステップ；
前記各音楽演奏端末機の画面表示装置に選択された曲の電子楽譜をディスプレイする第１４ステップ；
各使用者が自身が選択した楽器を演奏すれば、各使用者の演奏入力を総合して演奏を遂行する各使用者に提供する第１５ステップ；
前記音楽演奏サービスサーバーが合奏達成度を計算して前記各使用者に伝送する第１６ステップ；及び
合奏情報をデータベースに保存する第１７ステップと
を含むネットワーク基盤の音楽演奏サービス方法。
【請求項７８】
請求項６６において、
前記音楽演奏端末機での音楽演奏過程は、
前記音楽演奏端末機が前記音楽演奏ファイルをダウンロードして貯蔵手段に保存する第１過程；
使用者の要求によって、前記貯蔵手段に保存された前記音楽演奏ファイルら中で該当音楽演奏ファイルを読んで該当音楽の各音標を演奏順序を表した前記電子楽譜に画面表示装置にディスプレイして、演奏する指定音以外の背景音を出力する第２過程；
前記画面表示装置に表示された前記電子楽譜の各音標に対する演奏順序にともなう使用者からの演奏操作を入力される第３過程；及び
前記演奏操作になった指定音と該当音楽中で指定音以外の背景音を合成して出力する第４過程と
を含むネットワーク基盤の音楽演奏サービス方法。
【請求項７９】
インターネット、公衆電話網などのような情報通信網を通した歌の伴奏サービス方法において、
歌の伴奏サービスサーバーが該当音楽に対して使用者の演奏順序と楽器別に音標が分割されて楽器別にタイミングによって演奏する音を表す音楽演奏ファイルを生成して、前記音楽演奏ファイルに歌詞と拍子シンク（Ｓｙｎｃ）部分を挿入して前記該当音楽に対する歌詞と使用者の歌の順序、その他伴奏音を表す歌の伴奏音楽ファイルを生成する第１ステップ；
前記情報通信網を通じて歌の伴奏サービスを受けようとする使用者の接続時に、使用者の認証過程を遂行する第２ステップ；
前記第２ステップの認証結果によって、正当な使用者に限り前記歌の伴奏サービスサーバーが前記情報通信網を通じて前記歌の伴奏ファイル、歌の伴奏サービスプログラムを歌の伴奏端末機に提供する第３ステップ；及び
前記第２ステップの認証結果によって、正当な使用者に限り前記歌の伴奏サービスサーバーが前記情報通信網を通じて歌の伴奏をサービスする第４ステップと
を含むネットワーク基盤の歌の伴奏サービス方法。
【請求項８０】
請求項７９において、
前記第２ステップの認証結果によって、正当な使用者に限り前記歌の伴奏サービスサーバーが使用者の情報を照会及び変更処理する第５ステップ
をもっとも含むネットワーク基盤の歌の伴奏サービス方法。
【請求項８１】
請求項８０において、
前記第５ステップは、
使用者の情報照会及び変更時に、前記使用者の情報を前記歌の伴奏端末機に伝送する第６ステップ；
前記歌の伴奏端末機が画面表示装置に前記使用者の情報をディスプレイする第７ステップ；及び
前記使用者の情報変更時に、前記音楽演奏サービスサーバーが変更になった使用者の情報をデータベースで更新する第８ステップと
を含むネットワーク基盤の歌の伴奏サービス方法。
【請求項８２】
請求項７９において、
前記歌の伴奏サービスサーバーは、
前記歌の伴奏ファイル、前記歌の伴奏サービスプログラム、多数の使用者が該当音楽を合唱できる機能を提供することを特徴とするネットワーク基盤の歌の伴奏サービス方法。
【請求項８３】
請求項８２において、
前記歌の伴奏端末機は、
前記歌の伴奏サービスサーバーと情報通信網を通じて連結して、前記歌の伴奏ファイル、前記歌の伴奏サービスプログラムをダウンロード受けて、該当音楽を独唱し、または合唱できる機能を提供することを特徴とするネットワーク基盤の歌の伴奏サービス方法。
【請求項８４】
請求項７９において、
前記歌の伴奏サービスサーバーは、
前記情報通信網を通じて少なくとも二つの地域サーバーと連動になって、各々に前記歌の伴奏ファイル、前記歌の伴奏サービスプログラムを提供して、１地域サーバーで前記情報通信網を通じて前記歌の伴奏端末機に個人独唱または多数の使用者の合唱できる機能を提供して他地域サーバーと前記情報通信網を通じて連動して合唱できる機能を提供することを特徴とするネットワーク基盤の歌の伴奏サービス方法。
【請求項８５】
請求項７９〜請求項８４のいずれかの一項において、
前記歌の伴奏ファイルは、
該当音楽に対する使用者の演奏順序と楽器別に音標が分割されて楽器別にタイミングによって演奏する音を表す仮想オーケストラシステム（ＶＯＳ）音楽ファイルに歌詞と拍子シンク（Ｓｙｎｃ）部分を挿入して、音楽に対する歌詞と使用者の歌の順序、その他伴奏音を表すカラオケ音楽ファイルであることを特徴とするネットワーク基盤の歌の伴奏サービス方法。
【請求項８６】
請求項８５において、
前記歌の伴奏端末機は、
前記歌の伴奏サービスサーバーから前記情報通信網を通じて前記歌の伴奏サービスプログラム及び前記歌の伴奏ファイルをダウンロードして前記歌の伴奏サービスプログラムを設置して、前記歌の伴奏サービスプログラムを駆動して前記歌の伴奏ファイルを土台として該当音楽を独唱し、または合唱できる機能を提供することを特徴とするネットワーク基盤の歌の伴奏サービス方法。
【請求項８７】
請求項８５において、
前記第４ステップの歌の伴奏サービス過程中で個人の歌サービス過程は、
前記歌の伴奏サービスサーバーを通した個人の歌を遂行することかを判断する第９ステップ；
前記第９ステップの判断結果、前記歌の伴奏端末機を通じて個人の歌をサービスする第１０ステップ；及び
前記第９ステップの判断結果、前記歌の伴奏サービスサーバーを通じて個人歌をサービスする第１１ステップと
を含むネットワーク基盤の歌の伴奏サービス方法。
【請求項８８】
請求項８７において、
前記第１０ステップは、
前記歌の伴奏端末機が使用者から該当曲目を選択受ける第１２ステップ；
画面表示装置を通じて該当曲の歌詞と歌の順序をディスプレイして、伴奏音を出力する第１３ステップ；
使用者が前記画面表示装置にディスプレイになった歌の順序によって歌を歌えば、前記歌の伴奏端末機の歌の伴奏処理装置が入力装置から使用者の音声を受信する第１４ステップ；
使用者の音声に伴奏音を合成して出力する第１５ステップ；及び
該当音楽に対する達成度を前記画面表示装置に出力する第１６ステップと
を含むするネットワーク基盤の歌の伴奏サービス方法。
【請求項８９】
請求項８７において、
前記第１１ステップは、
前記歌の伴奏サービスサーバーが使用者から歌を歌う曲目を選択受ける第１２ステップ；
前記選択された曲が前記歌の伴奏端末機に存在しているかを確認して、存在しなければ選択された曲に該当する前記歌の伴奏ファイルを前記歌の伴奏端末機に提供する第１３ステップ；
前記歌の伴奏端末機で画面表示装置を通じて該当曲の歌詞と歌の順序をディスプレイして、伴奏音を出力する第１４ステップ；
使用者が前記画面表示装置にディスプレイになった歌の順序によって歌を歌えば、前記歌の伴奏端末機の歌の伴奏処理装置が入力装置から使用者の音声を受信する第１５ステップ；
使用者の音声に伴奏音を合成して出力する第１６ステップ；及び
該当音楽に対する達成度を前記画面表示装置に出力して、ネットワーク連結装置を利用して歌に関連した情報を前記歌の伴奏サービスサーバーのデータベースに保存する第１７ステップ；及び
使用者が他の曲を演奏することかを確認して、他の曲を演奏しようとする場合に前記第１２ステップに移る第１８ステップと
を含むネットワーク基盤の歌の伴奏サービス方法。
【請求項９０】
請求項８５において、
前記第４ステップの歌の伴奏サービス過程中で合唱サービス過程は、
前記歌の伴奏サービスサーバーに接続した使用者から合唱曲を選択受ける第９ステップ；
前記選択された曲が前記歌の伴奏端末機に存在するかを確認して、存在しなければ選択された合唱曲を前記歌の伴奏端末機に伝送する第１０ステップ；
前記歌の伴奏端末機の画面表示装置を通じて該当曲の歌詞と歌の順序をディスプレイして、伴奏音を出力する第１１ステップ；
各使用者から音声を入力されて合唱を遂行して、該当情報を保存する第１２ステップ；及び
使用者から他の曲を歌うことかを確認受けて、他の曲を歌おうとする場合に前記第９ステップに移る第１３ステップと
を含むネットワーク基盤の歌の伴奏サービス方法。
【請求項９１】
請求項９０において、
前記第９ステップは、
前記歌の伴奏サービスサーバーに接続した使用者が他の使用者と合唱する曲を協議する第１４ステップ；
使用者から該当合唱曲が存在する音楽ジャンルを選択受ける第１５ステップ；及び
使用者から前記協議した合唱曲を選択受ける第１６ステップと
を含むネットワーク基盤の歌の伴奏サービス方法。
【請求項９２】
請求項９０において、
前記第１２ステップは、
各使用者が歌を歌えば、各使用者の音声を総合して歌を歌う各使用者に提供する第１４ステップ；
前記歌の伴奏サービスサーバーが合唱達成度を計算して前記各使用者に伝送する第１５ステップ；及び
合唱情報をデータベースに保存する第１６ステップと
を含むネットワーク基盤の歌の伴奏サービス方法。
【請求項９３】
請求項８６において、
前記歌の伴奏端末機での歌の伴奏過程は、
前記歌の伴奏端末機が前記歌の伴奏ファイルをダウンロードして貯蔵手段に保存する第１過程；
使用者の要求によって、前記貯蔵手段に保存された前記歌の伴奏ファイルら中で該当歌の伴奏ファイルを読んで該当音楽に対する歌詞と歌の順序を画面表示装置にディスプレイして、伴奏音を出力する第２過程；
前記画面表示装置に表示された歌の順序にともなう使用者の音声を入力される第３過程；及び
使用者の音声と伴奏音とを合成して出力する第４過程と
を含むネットワーク基盤の歌の伴奏サービス方法。
【請求項９４】
プロセッサーを具備した音楽演奏サービスシステムに、
音楽演奏サービスサーバーが該当音楽に対して使用者の演奏順序と楽器別に音標が分割されて楽器別にタイミングによって演奏する音を表す音楽演奏ファイルを生成する第１機能；
情報通信網を通じて音楽演奏サービスを受けようとする使用者の接続時に、使用者の認証過程を遂行する第２機能；
前記第２機能の認証結果によって、正当な使用者に限り前記音楽演奏サービスサーバーが前記情報通信網を通じて前記音楽演奏ファイル、音楽演奏サービスプログラムを音楽演奏端末機に提供する第３機能；及び
前記第２機能の認証結果によって、正当な使用者に限り前記音楽演奏サービスサーバーが前記情報通信網を通じて音楽演奏をサービスする第４機能と
を実現させるためのプログラムを記録したコンピュータで読むことができる記録媒体。
【請求項９５】
請求項９４において、
前記第２機能の認証結果によって、正当な使用者に限り前記音楽演奏サービスサーバーが使用者情報を照会及び変更処理する第５機能
をもっとも実現させるためのプログラムを記録したコンピュータで読むことができる記録媒体。
【請求項９６】
プロセッサーを具備した歌の伴奏サービスシステムに、
歌の伴奏サービスサーバーが該当音楽に対して使用者の演奏順序と楽器別に音標が分割されて楽器別にタイミングによって演奏する音を表す音楽演奏ファイルを生成して、前記音楽演奏ファイルに歌詞と拍子シンク（Ｓｙｎｃ）部分を挿入して前記該当音楽に対する歌詞と使用者の歌の順序、その他伴奏音を表す歌の伴奏音楽ファイルを生成する第１機能；
情報通信網を通じて歌の伴奏サービスを受けようとする使用者の接続時に、使用者の認証過程を遂行する第２機能；
前記第２機能の認証結果によって、正当な使用者に限り前記歌の伴奏サービスサーバーが前記情報通信網を通じて前記歌の伴奏ファイル、歌の伴奏サービスプログラムを歌の伴奏端末機に提供する第３機能；及び
前記第２機能の認証結果によって、正当な使用者に限り前記歌の伴奏サービスサーバーが前記情報通信網を通じて歌の伴奏をサービスする第４機能と
を実現させるためのプログラムを記録したコンピュータで読むことができる記録媒体。
【請求項９７】
請求項９６において、
前記第２機能の認証結果によって、正当な使用者に限り前記歌の伴奏サービスサーバーが使用者情報を照会及び変更処理する第５機能
をもっとも実現させるためのプログラムを記録したコンピュータで読むことができる記録媒体。
【国際調査報告】
2004538496.tif 000114
2004538496.tif 000115